(57)【要約】  無線送信装置は、無線リンク信号を送信する送信部（１０５）と、制御部（１０１）と、を備えてよい。前記無線リンク信号は、伝搬チャネルにおける位相変動の補正に用いられる位相変動補正用参照信号を含む。制御部（１０１）は、前記無線リンク信号の時間領域における基準位置に基づいて、前記位相変動補正用参照信号を前記無線リンク信号の前記時間領域にマッピングする位置を制御する。
2019064602.tif 000002
【特許請求の範囲】
【請求項１】
伝搬チャネルにおける位相変動の補正に用いられる位相変動補正用参照信号を含む無線リンク信号を送信する送信部と、
前記無線リンク信号の時間領域における基準位置に基づいて、前記位相変動補正用参照信号を前記無線リンク信号の前記時間領域にマッピングする位置を制御する制御部と、
を備えた、無線送信装置。
【請求項２】
前記無線リンク信号は、データ信号を含み、
前記基準位置は、前記データ信号の復調に用いられる復調用参照信号が前記無線リンク信号において配置される位置である、請求項１に記載の無線送信装置。
【請求項３】
複数の前記復調用参照信号が前記無線リンク信号に配置される場合において、前記基準位置は、前記複数の復調用参照信号のいずれか１つが配置される位置である、請求項２に記載の無線送信装置。
【請求項４】
伝搬チャネルにおける位相変動の補正に用いられる位相変動補正用参照信号を含む無線リンク信号を受信する受信部と、
前記無線リンク信号の時間領域における基準位置に基づいて前記無線リンク信号の前記時間領域にマッピングされた、前記位相変動補正用参照信号を用いて、前記無線リンク信号を受信処理する処理部と、
を備えた、無線受信装置。
【請求項５】
前記無線リンク信号は、データ信号を含み、
前記基準位置は、前記データ信号の復調に用いられる復調用参照信号が前記無線リンク信号において配置される位置である、請求項４に記載の無線受信装置。
【請求項６】
複数の前記復調用参照信号が前記無線リンク信号に配置される場合において、前記基準位置は、前記複数の復調用参照信号のいずれか１つが配置される位置である、請求項５に記載の無線受信装置。
【発明の詳細な説明】
【技術分野】
【０００１】
本発明は、無線送信装置および無線受信装置に関する。
【背景技術】
【０００２】
ＵＭＴＳ（Universal Mobile Telecommunication System）ネットワークにおいて、更なる高速データレート、低遅延などを目的としてロングタームエボリューション（ＬＴＥ：Long Term Evolution）が仕様化された（非特許文献１）。また、ＬＴＥからの更なる広帯域化及び高速化を目的として、ＬＴＥの後継システムも検討されている。ＬＴＥの後継システムには、例えば、ＬＴＥ−Ａ（LTE-Advanced）、ＦＲＡ（Future Radio Access）、５Ｇ（5th generation mobile communication system）、５Ｇ＋（5G plus）、Ｎｅｗ−ＲＡＴ（Radio Access Technology）などと呼ばれるものがある。【０００３】
将来の無線通信システム（例えば、５Ｇ）では、低いキャリア周波数から高いキャリア周波数まで幅広い周波数をサポートすることが期待されている。例えば、低いキャリア周波数、高いキャリア高周波数などの周波数帯毎に伝搬チャネル環境、及び／又は、要求条件が大きく異なることから、将来の無線通信システムでは、参照信号などの配置（マッピング）を柔軟にサポートすることが望まれる。【０００４】
例えば、将来の無線通信システムでは、ユーザ端末に割り当てられたポート（レイヤ）の参照信号（例えば、復調用参照信号）が、様々な方法に基づいて無線リソースに配置され、ユーザ端末に対して送信されることが想定される。その場合、ユーザ端末に割り当てられたポートに関する情報、および、参照信号（Reference Signal, RS）の配置方法に関する情報は、例えば、無線基地局からユーザ端末へ通知される。
【先行技術文献】
【非特許文献】
【０００５】
【非特許文献１】3GPP TS 36.300 v13.4.0, “Evolved Universal Terrestrial Radio Access (E-UTRA) and Evolved Universal Terrestrial Radio Access Network (E-UTRAN); Overall description; Stage 2 (Release 13),” June 2016
【発明の概要】
【発明が解決しようとする課題】
【０００６】
将来の無線通信システムにおいて、ＰＴＲＳ（Phase Tracking Reference Signal）と称されるＲＳの導入が検討されている。ＰＴＲＳは、下りリンク（Downlink,ＤＬ）及び／又は上りリンク（Uplink,ＵＬ）の信号に位相雑音などの影響によって生じ得る位相変動を補正して軽減するために用いられる。そのため、ＰＴＲＳは、「位相変動補正用ＲＳ」と称されてもよい。なお、位相雑音の内、周波数によらず共通の位相回転が与えられる成分は、「共通位相誤差（Common Phase Error，ＣＰＥ）」と称されることがある。【０００７】
しかしながら、将来の無線通信システムにおいて、ＰＴＲＳをＤＬ及び／又はＵＬの信号に対して、どのような配置でマッピングするかについては定まっていない。そのため、ＰＴＲＳの配置法によっては、位相変動の影響を効果的に補償できず、期待される信号品質が得られない可能性がある。【０００８】
本発明の目的の１つは、無線リンク信号の伝搬チャネルにおける位相変動を効果的に補正することによって、位相雑音などの影響による無線リンク信号の品質低下を抑制することにある。
【課題を解決するための手段】
【０００９】
本発明の一態様に係る無線送信装置は、伝搬チャネルにおける位相変動の補正に用いられる位相変動補正用参照信号を含む無線リンク信号を送信する送信部と、前記無線リンク信号の時間領域における基準位置に基づいて、前記位相変動補正用参照信号を前記無線リンク信号の前記時間領域にマッピングする位置を制御する制御部と、を備える。
【発明の効果】
【００１０】
本発明の一態様によれば、無線リンク信号が伝搬チャネルにおける位相変動を効果的に補正できるため、位相雑音などの影響による無線リンク信号の品質低下を抑制できる。
【図面の簡単な説明】
【００１１】
【図１】一実施の形態に係る無線基地局の全体構成の一例を示すブロック図である。
【図２】一実施の形態に係るユーザ端末の全体構成の一例を示すブロック図である。
【図３】一実施の形態におけるＤＭＲＳの第１のマッピングパターンの一例を示す図である。
【図４】一実施の形態におけるＤＭＲＳの第２のマッピングパターンの一例を示す図である。
【図５】（Ａ）〜（Ｃ）は、ＰＴＲＳの配置例を示す図である。
【図６】一実施の形態に係るＰＴＲＳ配置方法の第１例を示す図である。
【図７】一実施の形態に係るＰＴＲＳ配置方法の第２例を示す図である。
【図８】一実施の形態に係るＰＴＲＳ配置方法の第３例を示す図である。
【図９】一実施の形態に係るＰＴＲＳ配置方法の第４例を示す図である。
【図１０】一実施の形態に係るＰＴＲＳ配置方法の第５例を示す図である。
【図１１】一実施の形態に係るＰＴＲＳ配置方法の第６例を示す図である。
【図１２】一実施の形態に係るＰＴＲＳ配置方法の第７例を示す図である。
【図１３】一実施の形態に係るＰＴＲＳ配置方法の第８例を示す図である。
【図１４】一実施の形態に係るＰＴＲＳ配置方法の第９例を示す図である。
【図１５】一実施の形態に係るＰＴＲＳ配置方法の第１０例を示す図である。
【図１６】一実施の形態に係るＰＴＲＳ配置方法の第１１例を示す図である。
【図１７】一実施の形態に係るＰＴＲＳ配置方法の第１２例を示す図である。
【図１８】一実施の形態に係るＰＴＲＳ配置方法の第１３例を示す図である。
【図１９】一実施の形態に係るＰＴＲＳ配置方法の第１４例を示す図である。
【図２０】一実施の形態に係るＰＴＲＳ配置方法のバリエーション例を示す図である。
【図２１】一実施の形態に係るＰＴＲＳ配置方法のバリエーション例を示す図である。
【図２２】一実施の形態に係るＰＴＲＳ配置方法のバリエーション例を示す図である。
【図２３】一実施の形態に係るＰＴＲＳ配置方法のバリエーション例を示す図である。
【図２４】一実施の形態に係るＰＴＲＳ配置方法のバリエーション例を示す図である。
【図２５】一実施の形態に係るＰＴＲＳ配置方法のバリエーション例を示す図である。
【図２６】一実施の形態に係るＰＴＲＳ配置方法のバリエーション例を示す図である。
【図２７】一実施の形態に係る無線基地局及びユーザ端末のハードウェア構成の一例を示す図である。
【発明を実施するための形態】
【００１２】
以下、本発明の一実施の形態について、図面を参照して詳細に説明する。
【００１３】
（一実施の形態）
本実施の形態に係る無線通信システムは、図１に示す無線基地局１０（例えば、ｅＮＢ（ｅＮｏｄｅＢ）またはｇＮＢ（ｇＮｏｄｅＢ）とも呼ばれる）、及び、図２に示すユーザ端末２０（例えば、ＵＥ（User Equipment）とも呼ばれる）を備える。ユーザ端末２０は、無線基地局１０と無線接続（無線アクセス）される。別言すると、無線基地局１０とユーザ端末２０との間に無線リンクが形成される。
【００１４】
無線リンクを伝搬する無線信号は、無線リンク信号と称されてよい。無線基地局１０からユーザ端末２０への方向の無線リンクは、下りリンク（ＤＬ：Downlink）と称されてよい。したがって、無線基地局１０からユーザ端末２０へ送信される無線リンク信号は、ＤＬ信号と称されてよい。これに対し、ユーザ端末２０から無線基地局１０へ送信される無線リンクは、上りリンク（ＵＬ：Uplink）と称されてよい。したがって、ユーザ端末２０から無線基地局１０へ送信される無線リンク信号は、ＵＬ信号と称されてよい。
【００１５】
無線基地局１０は、ユーザ端末２０に対して、ＤＬ制御チャネル（例えば、ＰＤＣＣＨ：Physical Downlink Control Channel）を用いてＤＬ制御信号を送信する。無線基地局１０は、ユーザ端末２０に対して、ＤＬデータチャネル（例えば、ＤＬ共有チャネル：ＰＤＳＣＨ：Physical Downlink Shared Channel）を用いてＤＬデータ信号、復調用参照信号（Demodulation Reference Signal）、及び／又は、ＰＴＲＳを送信する。復調用参照信号は、ＤＬデータ信号の復調に用いられる信号である。以下では、復調用参照信号を、適宜、ＤＭＲＳと記載する。
【００１６】
また、ユーザ端末２０は、無線基地局１０に対して、ＵＬ制御チャネル（例えば、ＰＵＣＣＨ：Physical Uplink Control Channel）あるいはＵＬデータチャネル（例えば、ＵＬ共有チャネル：ＰＵＳＣＨ：Physical Uplink Shared Channel）を用いてＵＬ制御信号を送信する。ユーザ端末２０は、無線基地局１０に対して、ＵＬデータチャネル（例えば、ＵＬ共有チャネル：ＰＵＳＣＨ：Physical Uplink Shared Channel）を用いてＵＬデータ信号、ＤＭＲＳ、及び／又は、ＰＴＲＳを送信する。
【００１７】
本実施の形態における無線通信システムでは、一例として、２種類のＤＭＲＳのマッピングパターン（Configuration type 1 and 2）をサポートする。そして、本実施の形態における無線通信システムでは、様々なＤＭＲＳの配置方法をサポートする。ＤＭＲＳの配置方法には、例えば、ＤＭＲＳとデータ信号とを周波数多重する配置方法および異なるポートのＤＭＲＳを多重する配置方法が含まれる。
【００１８】
なお、無線基地局１０及びユーザ端末２０が送受信する下りチャネル及び上りチャネルは、上記のＰＤＣＣＨ、ＰＤＳＣＨ、ＰＵＣＣＨ、ＰＵＳＣＨなどに限定されない。無線基地局１０及びユーザ端末２０が送受信する下りチャネル及び上りチャネルは、例えば、ＰＢＣＨ（Physical Broadcast Channel）、ＲＡＣＨ（Random Access Channel）などの他のチャネルでもよい。
【００１９】
また、図１及び図２では、無線基地局１０及びユーザ端末２０において生成されるＤＬ、及び／又は、ＵＬの信号波形は、ＯＦＤＭ（Orthogonal Frequency Division Multiplexing）変調に基づく信号波形でもよい。あるいは、ＤＬ、及び／又は、ＵＬの信号波形は、ＳＣ−ＦＤＭＡ（Single Carrier-Frequency Division Multiple Access）又はＤＦＴ−Ｓ−ＯＦＤＭ（DFT-Spread-OFDM））に基づく信号波形でもよい。あるいは、ＤＬ、及び／又は、ＵＬの信号波形は、他の信号波形でもよい。図１及び図２では、信号波形を生成するための構成部（例えば、IFFT処理部、CP付加部、CP除去部、FFT処理部など）の記載を省略している。
【００２０】
＜無線基地局＞
図１は、本実施の形態に係る無線基地局１０の全体構成の一例を示すブロック図である。無線基地局１０は、スケジューラ１０１と、送信信号生成部１０２と、符号化・変調部１０３と、マッピング部１０４と、送信部１０５と、アンテナ１０６と、受信部１０７と、制御部１０８と、チャネル推定部１０９と、復調・復号部１１０と、を含む。なお、無線基地局１０は、複数のユーザ端末２０と同時に通信を行うＭＵ−ＭＩＭＯ（Multi-User Multiple-Input Multiple-Output）の構成を有しても良い。あるいは、無線基地局１０は、１つのユーザ端末２０と通信を行うＳＵ−ＭＩＭＯ（Single-User Multiple-Input Multiple-Output）の構成を有していても良い。あるいは、無線基地局１０は、ＳＵ−ＭＩＭＯおよびＭＵ−ＭＩＭＯの両方の構成を有していても良い。
【００２１】
スケジューラ１０１は、ＤＬ信号（ＤＬデータ信号、ＤＬ制御信号、ＤＭＲＳ及びＰＴＲＳなど）のスケジューリング（例えば、リソース割当及びポート割当）を行う。また、スケジューラ１０１は、ＵＬ信号（ＵＬデータ信号、ＵＬ制御信号、ＤＭＲＳ及びＰＴＲＳなど）のスケジューリング（例えば、リソース割当及びポート割当）を行う。
【００２２】
スケジューリングにおいて、スケジューラ１０１は、ＤＬ信号のＤＭＲＳがマッピングされるリソース要素を示すマッピングパターンの構成を「Configuration type 1」または「Configuration type 2」の中から１つ選択する。例えば、スケジューラ１０１は、伝搬路環境（例えば、通信品質および周波数選択性）、及び／又は、要求条件（サポートする端末の移動速度など）、及び／又は、無線基地局１０もしくはユーザ端末２０の性能に基づいて、Configuration type 1またはConfiguration type 2の中から１つのマッピングパターンを選択する。あるいは、マッピングパターンは、予め１つに決定されていてもよい。
【００２３】
スケジューラ１０１は、後述するようにして、ＤＬ信号の時間領域における基準位置に基づいて、ＰＴＲＳをＤＬ信号の時間領域にマッピングする位置を制御する制御部の一例と捉えてよい。時間領域における「基準位置」の非限定的な一例としては、後述するように、ＤＭＲＳが配置されるシンボル、個々のスロット（又は、ミニスロット）内の先頭シンボル、及び、データチャネルの先頭シンボルなどに対応する位置が挙げられる。
【００２４】
また、スケジューラ１０１は、スケジューリング情報を送信信号生成部１０２及びマッピング部１０４に出力する。
【００２５】
また、スケジューラ１０１は、例えば、無線基地局１０とユーザ端末２０との間のチャネル品質に基づいて、ＤＬデータ信号及びＵＬデータ信号のＭＣＳ（Modulation and Coding Scheme）（符号化率、変調方式など）を設定する。スケジューラ１０１は、設定したＭＣＳの情報を送信信号生成部１０２及び符号化・変調部１０３へ出力する。なお、ＭＣＳは、無線基地局１０が設定する場合に限定されず、ユーザ端末２０が設定してもよい。ユーザ端末２０がＭＣＳを設定する場合、無線基地局１０は、ユーザ端末２０からＭＣＳ情報を受信すればよい（図示せず）。
【００２６】
送信信号生成部１０２は、送信信号（ＤＬデータ信号、ＤＬ制御信号を含む）を生成する。例えば、ＤＬ制御信号には、スケジューラ１０１から出力されたスケジューリング情報（例えば、設定情報）又はＭＣＳ情報を含むＤＣＩが含まれる。送信信号生成部１０２は、生成した送信信号を符号化・変調部１０３に出力する。
【００２７】
符号化・変調部１０３は、例えば、スケジューラ１０１から入力されるＭＣＳ情報に基づいて、送信信号生成部１０２から入力される送信信号に対して、符号化処理及び変調処理を行う。符号化・変調部１０３は、変調後の送信信号をマッピング部１０４に出力する。
【００２８】
マッピング部１０４は、スケジューラ１０１から入力されるスケジューリング情報（例えば、ＤＬのリソース割当など）に基づいて、符号化・変調部１０３から入力される送信信号を無線リソース（ＤＬリソース）にマッピングする。また、マッピング部１０４は、スケジューリング情報に基づいて、ＤＭＲＳ及び／又はＰＴＲＳを無線リソース（ＤＬリソース）にマッピングする。マッピング部１０４は、無線リソースにマッピングされたＤＬ信号を送信部１０５に出力する。
【００２９】
送信部１０５は、マッピング部１０４から入力されるＤＬ信号に対して、アップコンバート、増幅などの送信処理を行い、無線周波数信号（ＤＬ信号）をアンテナ１０６から送信する。
【００３０】
受信部１０７は、アンテナ１０６で受信された無線周波数信号（ＵＬ信号）に対して、増幅、ダウンコンバートなどの受信処理を行い、ＵＬ信号を制御部１０８に出力する。ＵＬ信号には、ＵＬデータ信号、ＤＭＲＳ、及び／又は、ＰＴＲＳが含まれてよい。
【００３１】
制御部１０８は、スケジューラ１０１から入力されるスケジューリング情報（例えば、ＵＬのリソース割当情報など）に基づいて、受信部１０７から入力されるＵＬ信号からＵＬデータ信号と、ＤＭＲＳ及び／又はＰＴＲＳと、を分離（デマッピング）する。そして、制御部１０８は、ＵＬデータ信号を復調・復号部１１０に出力しＤＭＲＳ及び／又はＰＴＲＳをチャネル推定部１０９に出力する。
【００３２】
チャネル推定部１０９は、ＵＬ信号のＤＭＲＳを用いてチャネル推定を行い、推定結果であるチャネル推定値を復調・復号部１１０に出力する。また、チャネル推定部１０９は、例えば、ＵＬ信号のＰＴＲＳを用いてチャネル推定を行い、各シンボルのチャネル推定値の差分を計算することにより、各シンボルの位相変動量を算出して復調・復号部１１０に出力する。
【００３３】
復調・復号部１１０は、チャネル推定部１０９から入力されるチャネル推定値、又は、チャネル推定値及び位相変動量に基づいて、制御部１０８から入力されるＵＬデータ信号に対して復調及び復号処理を行う。例えば、復調・復号部１１０は、復調対象のＵＬデータ信号がマッピングされたＲＥ（Resource Element）のサブキャリアのチャネル推定値を、当該ＲＥのシンボルの時間変動量を用いて補正する。そして、復調・復号部１１０は、例えば、復調対象の信号に補正後のチャネル推定値の逆数を乗算することにより、チャネル補償（等化処理）を行い、チャネル補償されたＵＬデータ信号を復調する。また、復調・復号部１１０は、復調及び復号されたＵＬデータ信号を、アプリケーション部（図示せず）に転送する。なお、アプリケーション部は、物理レイヤ又はＭＡＣレイヤより上位のレイヤに関する処理などを行う。
【００３４】
スケジューラ１０１、送信信号生成部１０２、符号化・変調部１０３、マッピング部１０４、及び、送信部１０５を含むブロックは、無線基地局１０に備えられた無線送信装置の一例と捉えてよい。また、受信部１０７、制御部１０８、チャネル推定部１０９、及び、復調・復号部１１０を含むブロックは、無線基地局１０に備えられた無線受信装置の一例と捉えてよい。
【００３５】
また、制御部１０８、チャネル推定部１０９、及び、復調・復号部１１０を含むブロックは、後述するように、ＤＬ信号の時間領域における基準位置に基づいて時間領域にマッピングされたＰＴＲＳを用いて、ＤＬ信号を受信処理する処理部の一例と捉えてよい。
【００３６】
＜ユーザ端末＞
図２は、本実施の形態に係るユーザ端末２０の全体構成の一例を示すブロック図である。ユーザ端末２０は、アンテナ２０１と、受信部２０２と、制御部２０３と、チャネル推定部２０４と、復調・復号部２０５と、送信信号生成部２０６と、符号化・変調部２０７と、マッピング部２０８と、送信部２０９と、を含む。
【００３７】
受信部２０２は、アンテナ２０１で受信された無線周波数信号（ＤＬ信号）に対して、増幅、ダウンコンバートなどの受信処理を行い、ＤＬ信号を制御部２０３に出力する。ＤＬ信号には、ＤＬデータ信号、ＤＭＲＳ、及び／又は、ＰＴＲＳが含まれてよい。
【００３８】
制御部２０３は、受信部２０２から入力されるＤＬ信号から、ＤＬ制御信号と、ＤＭＲＳ及び／又はＰＴＲＳと、を分離（デマッピング）する。そして、制御部２０３は、ＤＬ制御信号を復調・復号部２０５に出力し、ＤＭＲＳ及び／又はＰＴＲＳをチャネル推定部２０４に出力する。
【００３９】
制御部２０３は、ＤＬ信号に対する受信処理を制御する。また、制御部２０３は、復調・復号部２０５から入力されるスケジューリング情報（例えば、ＤＬのリソース割当情報など）に基づいて、ＤＬ信号からＤＬデータ信号を分離（デマッピング）し、ＤＬデータ信号を復調・復号部２０５に出力する。
【００４０】
チャネル推定部２０４は、ＤＬ信号から分離されたＤＭＲＳを用いてチャネル推定を行い、推定結果であるチャネル推定値を復調・復号部２０５に出力する。また、チャネル推定部２０４は、例えば、ＤＬ信号のＰＴＲＳを用いてチャネル推定を行い、各シンボルのチャネル推定値の差分を計算することにより、各シンボルの位相変動量を算出して復調・復号部２０５に出力する。
【００４１】
復調・復号部２０５は、制御部２０３から入力されるＤＬ制御信号を復調する。また、復調・復号部２０５は、復調後のＤＬ制御信号に対して復号処理（例えば、ブラインド検出処理）を行う。復調・復号部２０５は、ＤＬ制御信号を復号することによって得られた自機宛てのスケジューリング情報（例えば、ＤＬ／ＵＬのリソース割当情報など）を制御部２０３及びマッピング部２０８に出力し、ＤＬデータ信号に対するＭＣＳ情報を符号化・変調部２０７へ出力する。
【００４２】
また、復調・復号部２０５は、制御部２０３から入力されるＤＬ制御信号に含まれるＤＬデータ信号に対するＭＣＳ情報に基づいて、チャネル推定部２０４から入力されるチャネル推定値、又は、チャネル推定値及び位相変動量を用いて、制御部２０３から入力されるＤＬデータ信号に対して復調及び復号処理を行う。
【００４３】
例えば、復調・復号部２０５は、復調対象のＤＬデータ信号がマッピングされたＲＥのサブキャリアのチャネル推定値を、当該ＲＥのシンボルの時間変動量を用いて補正する。そして、復調・復号部２０５は、例えば、復調対象の信号に補正後のチャネル推定値の逆数を乗算することにより、チャネル補償（等化処理）を行い、チャネル補償されたＤＬデータ信号を復調する。
【００４４】
また、復調・復号部２０５は、復調及び復号されたＤＬデータ信号をアプリケーション部（図示せず）に転送する。なお、アプリケーション部は、物理レイヤ又はＭＡＣレイヤより上位のレイヤに関する処理などを行う。
【００４５】
送信信号生成部２０６は、送信信号（ＵＬデータ信号又はＵＬ制御信号を含む）を生成し、生成した送信信号を符号化・変調部２０７に出力する。
【００４６】
符号化・変調部２０７は、例えば、復調・復号部２０５から入力されるＭＣＳ情報に基づいて、送信信号生成部２０６から入力される送信信号に対して、符号化処理及び変調処理を行う。符号化・変調部２０７は、変調後の送信信号をマッピング部２０８に出力する。
【００４７】
マッピング部２０８は、復調・復号部２０５から入力されるスケジューリング情報（ＵＬのリソース割当）に基づいて、符号化・変調部２０７から入力される送信信号を無線リソース（ＵＬリソース）にマッピングする。また、マッピング部２０８は、スケジューリング情報に基づいて、ＤＭＲＳ及び／又はＰＴＲＳを無線リソース（ＵＬリソース）にマッピングする。
【００４８】
ＤＭＲＳ及び／又はＰＴＲＳの無線リソースへのマッピングは、例えば、制御部２０３によって制御されてよい。例えば、制御部２０３は、後述するように、ＵＬ信号の時間領域における基準位置に基づいて、ＰＴＲＳをＵＬ信号の時間領域にマッピングする位置を制御する制御部の一例と捉えてよい。
【００４９】
送信部２０９は、マッピング部２０８から入力されるＵＬ信号（少なくともＵＬデータ信号及びＤＭＲＳを含む）に対して、アップコンバート、増幅などの送信処理を行い、無線周波数信号（ＵＬ信号）をアンテナ２０１から送信する。
【００５０】
送信信号生成部２０６、符号化・変調部２０７、マッピング部２０８、及び、送信部２０９を含むブロックは、ユーザ端末２０に備えられた無線送信装置の一例と捉えてよい。また、受信部２０２、制御部２０３、チャネル推定部２０４、及び、復調・復号部２０５を含むブロックは、ユーザ端末２０に備えられた無線受信装置の一例と捉えてよい。
【００５１】
以上説明した無線基地局１０とユーザ端末２０とを備える無線通信システムでは、ＤＭＲＳの一例として、front-loaded DMRSが用いられてよい。front-loaded DMRSは、リソース割り当て単位であるリソースユニット（またはサブフレーム内）における時間方向の前方に配置される。front-loaded DMRSが前方に配置されることにより、無線通信システムでは、チャネル推定および復調処理に要する処理時間を短縮できる。
【００５２】
front-loaded DMRSのマッピングパターンとして、例えば、２つのマッピングパターンが規定される。以下、２つのマッピングパターンについて説明する。なお、以下では、front-loaded DMRSを「ＦＬ−ＤＭＲＳ」、あるいは、単に「ＤＭＲＳ」と記載することがある。
【００５３】
＜第１のマッピングパターン（Configuration type 1）＞
図３は、本実施の形態における第１のマッピングパターンの一例を示す図である。図３には、ポート＃０（Port #0）〜ポート＃７（Port #7）のfront-loaded DMRSのマッピングパターンが示されている。図３の第１のマッピングパターンには、ポート数１からポート数４までのＤＭＲＳが１シンボルに配置されるマッピングパターンＡと、ポート数１からポート数８までＤＭＲＳが２シンボルに配置されるマッピングパターンＢと、が含まれる。
【００５４】
各マッピングパターンは、リソース割り当て単位であるリソースユニット（ＲＵ：Resource Unit）（リソースブロック、リソースブロックペアなどとも呼ばれる）における、各ポートのＤＭＲＳのマッピング位置を示す。
【００５５】
ＲＵは、例えば、１６８個のリソース要素（ＲＥ：Resource Element）が時間方向に１４個、周波数方向に１２個並んだ構成を有する。１ＲＥは、１シンボルと１サブキャリアとにより定義される無線リソース領域である。つまり、１つのＲＵは、１４シンボルと１２サブキャリアとにより構成される。
【００５６】
なお、ＲＵは「スロット」と称されてもよい。「スロット」は、時間方向において「ミニスロット」に区分されてもよい。「ミニスロット」は、例えば、１シンボルから１３シンボルの範囲のシンボル数によって構成されてよい。
【００５７】
なお、以下の説明では、１スロットの時間方向の１４シンボルを左から順にＳＢ１〜ＳＢ１４と表記することがある。また、１スロットの周波数方向の１２サブキャリアを下から順にＳＣ１〜ＳＣ１２と表記することがある。
【００５８】
１スロットの先頭の２シンボル（つまり、ＳＢ１およびＳＢ２）のＲＥには、制御信号チャネル（例えば、ＰＤＣＣＨ）が配置される。なお、制御信号チャネルのシンボル数は２に限られない。また、ＤＭＲＳがマッピングされる位置も３シンボル目および４シンボル目（ＳＢ３およびＳＢ４）に限定されず、例えば４シンボル目および５シンボル目（ＳＢ４およびＳＢ５）であってもよい。例えば、ＵＬの場合、ＤＭＲＳは、ＰＵＳＣＨがマッピングされるシンボルの先頭に配置されても良い。
【００５９】
マッピングパターンＡは、１ポートから最大で４ポートまでサポートする。マッピングパターンＢは、１ポートから最大で８ポートまでをサポートする。第１のマッピングパターンは、ＩＦＤＭ（Interleaved Frequency Division Multiplexing）ベースであり、１レイヤ当りのＤＭＲＳの周波数方向挿入密度（周波数方向における配置間隔および数）が比較的高い構成を有する。第１のマッピングパターンでは、同一ポートのＤＭＲＳが１サブキャリア分の間隔を空けて配置される。この配置は、「Ｃｏｍｂ２」と呼ばれても良いしＩＦＤＭ（ＲＰＦ＝２）と呼ばれても良い。
【００６０】
第１のマッピングパターンにおいて、ポート＃０とポート＃１との間、および、ポート＃２とポート＃３との間の多重には、周波数方向のＣＤＭ（Code Division Multiplexing）が適用される。周波数方向のＣＤＭでは、例えば、ＯＣＣ（Orthogonal Cover Code）（本パターンではＣＳ（Cyclic Shift）と呼ばれても良い）が用いられる。例えば、ポート＃０およびポート＃２には、ＯＣＣとして、｛＋１，＋１｝の組が用いられ、ポート＃１および＃３には、ＯＣＣとして、｛＋１，−１｝の組が用いられる。以下では、ＯＣＣを用いた周波数方向のＣＤＭを、ＦＤ−ＯＣＣ（Frequency domain-Orthogonal Cover Code）と記載する。
【００６１】
また、第１のマッピングパターンのマッピングパターンＢにおいて、ポート＃０およびポート＃１の組と、ポート＃４およびポート＃６の組との間の多重には、時間方向のＣＤＭが適用される。同様に、ポート＃２およびポート＃３の組と、ポート＃５およびポート＃７の組との間の多重には、時間方向のＣＤＭが適用される。時間方向のＣＤＭでは、例えば、ＯＣＣが用いられる。以下では、ＯＣＣを用いた時間方向のＣＤＭを、ＴＤ−ＯＣＣ（Time domain-Orthogonal Cover Code）と記載する。
【００６２】
なお、図３において、ポート＃４以上のインデックス、すなわち、ポート＃４〜ポート＃７のインデックスは、一例であり、本発明はこれに限定されない。例えば、図３における各ポートのＤＭＲＳの配置とポートのインデックスとの対応関係は、適宜変更されても良い。
【００６３】
＜第２のマッピングパターン（Configuration type 2）＞
図４は、本実施の形態における第２のマッピングパターンの一例を示す図である。図４には、ポート＃０（Port #0）〜ポート＃１１（Port #11）のＤＭＲＳのマッピングパターンが示されている。図４の第２のマッピングパターンには、ポート数１からポート数６までのＤＭＲＳが１シンボルに配置されるマッピングパターンＣと、ポート数１からポート数１２までＤＭＲＳが２シンボルに配置されるマッピングパターンＤとが含まれる。
【００６４】
１スロットの先頭の２シンボル（つまり、ＳＢ１およびＳＢ２）のＲＥには、制御信号チャネル（例えば、ＰＤＣＣＨ）が配置される。なお、制御信号チャネルのシンボル数は２に限られない。また、ＤＭＲＳがマッピングされる位置も３シンボル目および４シンボル目に限定されず、例えば４シンボル目および５シンボル目であってもよい。例えば、ＵＬの場合、ＤＭＲＳは、ＰＵＳＣＨがマッピングされるシンボルの先頭に配置されても良い。
【００６５】
マッピングパターンＣは、１ポートから最大で６ポートまでサポートする。マッピングパターンＤは、１ポートから最大で１２ポートまでをサポートする。
【００６６】
第２のマッピングパターンにおいて、ポート＃０とポート＃１との間、ポート＃２とポート＃３との間、および、ポート＃４とポート＃５との間の多重には、周波数方向のＣＤＭ（例えば、ＦＤ−ＯＣＣ（ＣＳと呼ばれても良い））が適用される。例えば、ポート＃０、ポート＃２およびポート＃４には、ＯＣＣとして、｛＋１，＋１｝の組が用いられ、ポート＃１、ポート＃３およびポート＃５には、ＯＣＣとして、｛＋１，−１｝の組が用いられる。
【００６７】
また、第２のマッピングパターンのマッピングパターンＤにおいて、ポート＃０およびポート＃１の組と、ポート＃６およびポート＃７の組との間の多重には、時間方向のＣＤＭ（例えば、ＴＤ−ＯＣＣ）が適用される。同様に、ポート＃２およびポート＃３の組と、ポート＃８およびポート＃９の組との間の多重、ならびに、ポート＃４およびポート＃５の組と、ポート＃１０およびポート＃１１の組との間の多重には、時間方向のＣＤＭが適用される。
【００６８】
なお、図４において、ポート＃６以上のインデックス、すなわち、ポート＃６〜ポート＃１１のインデックスは、一例であり、本発明はこれに限定されない。例えば、図４における各ポートのＤＭＲＳの配置とポートのインデックスとの対応関係は、適宜変更されても良い。
【００６９】
上述した第１および第２のマッピングパターンにおいて規定される各ポートのＤＭＲＳは、様々な配置方法が適用され、スロットに配置される。
【００７０】
なお、上述したＤＭＲＳに関するマッピングパターンＡからＤは、一例であり、本発明はこれに限定されない。
【００７１】
マッピングパターンＡからＤを含む、ＤＭＲＳに関するマッピングパターンのいずれかにおいて、ＰＴＲＳをマッピングすることが検討されている。ＰＴＲＳは、ＤＬ及び／又はＵＬの信号の伝搬チャネルにおける位相変動の補正に用いられる。位相変動の「補正」は、「訂正」又は「補償」と言い換えられてもよい。
【００７２】
ここで、ＤＬ及び／又はＵＬの信号に対する位相雑音の影響は、キャリア周波数及び／又は変調方式によって異なり得る。例えば、キャリア周波数が高いほど、及び／又は、変調方式の多値度が大きいほど、位相雑音の影響は大きくなる傾向にある。
【００７３】
そのため、例えば、キャリア周波数が高いほど、及び／又は、変調方式の多値度が大きいほど、時間方向に密にＰＴＲＳを配置（あるいは、「マッピング」又は「挿入」と称してもよい）することが検討される。
【００７４】
例えば、図５（Ａ）に例示するように、複数のＰＴＲＳを時間方向に間隔を空けずに配置するパターン、並びに、図５（Ｂ）及び図５（Ｃ）に例示するように、時間方向に１シンボル以上の間隔を空けてＰＴＲＳを配置するパターンのサポートが検討される。
【００７５】
図５（Ａ）〜図５（Ｃ）は、図５（Ａ）〜図５（Ｃ）の順に、時間方向に挿入されるＰＴＲＳの密度（「挿入密度」と称されてよい）が低くなる例を示している。別言すると、ＰＴＲＳの時間方向の配置間隔（又は挿入密度）に関して、様々なパターンのサポートが検討され得る。
【００７６】
なお、図５（Ａ）〜図５（Ｃ）の例では、ＳＣ７の時間方向にＰＴＲＳが配置されているが、あくまでも例示であって、ＰＴＲＳは、１２サブキャリアＳＣ１〜ＳＣ１２のうちいずれか１つ以上の時間方向に配置されてよい（以降の説明において同じ）。
【００７７】
また、図５（Ａ）〜図５（Ｃ）の例におけるＤＭＲＳの配置位置は、例えば、図３のマッピングパターンＡにおけるポート＃０のＤＭＲＳの配置位置に相当するが、あくまでも例示に過ぎない。ＤＭＲＳの配置位置は、マッピングパターンＡからＤのいずれかに規定される、いずれのポートのＤＭＲＳの配置位置であってもよいし、マッピングパターンＡからＤとは異なるパターンであってもよい（以降の説明において同じ）。
【００７８】
（ＰＴＲＳ配置の概要）
ＰＴＲＳは、信号の送信側及び受信側において予め決められた配置方法に基づいて決定されて当該配置位置にマッピングされてよい。
【００７９】
例えば、ＤＬ信号の送信元である無線基地局１０において、予め決められた配置方法に基づいてＤＬ信号に対するＰＴＲＳの配置位置が決定されて当該配置位置にＰＴＲＳがマッピングされてよい。また、例えば、ＵＬ信号の送信元であるユーザ端末２０において、予め決められた配置方法に基づいてＵＬ信号に対するＰＴＲＳの配置位置が決定されて当該配置位置にＰＴＲＳがマッピングされてよい。
【００８０】
ＤＬ信号の受信側であるユーザ端末２０は、予め決められた配置方法に基づいて決定された配置位置にＰＴＲＳが配置されていると想定して、ＤＬ信号の受信処理を行う。ＵＬ信号の受信側である無線基地局１０は、予め決められた配置方法に基づいて決定された配置位置にＰＴＲＳが配置されていると想定して、ＵＬ信号の受信処理を行う。
【００８１】
予め決められた配置方法に基づいてＰＴＲＳの配置が決定されるため、例えば、暗示的（implicit）に、ＰＴＲＳのマッピングを実現できる。したがって、シグナリングオーバヘッドの増大を抑制しつつ、ＰＴＲＳのマッピングが実現可能である。
【００８２】
ただし、ＰＴＲＳの配置位置は、信号の送信側及び受信側の一方において決定されて、決定した配置位置に関する情報が、信号の送信側及び受信側の他方に通知されてもよい。
【００８３】
例えば、無線基地局１０において、ＤＬ信号及びＵＬ信号の一方又は双方におけるＰＴＲＳの配置位置が決定され、当該配置位置に関する情報が、ユーザ端末２０に通知されてよい。ユーザ端末２０は、通知された情報を基にＰＴＲＳの配置位置を特定して、ＤＬ信号の受信処理あるいはＵＬ信号に対するＰＴＲＳのマッピングを行う。
【００８４】
また、例えば、ＵＬ信号の送信側であるユーザ端末２０において、ＵＬ信号におけるＰＴＲＳの配置位置が決定され、当該配置位置に関する情報が、無線基地局１０に通知されてもよい。無線基地局１０は、通知された情報を基にＰＴＲＳの配置位置を特定して、ＵＬ信号の受信処理を行う。
【００８５】
ＰＴＲＳの配置位置に関する情報の通知によって、ＰＴＲＳの配置位置を必要に応じて柔軟に変更することが可能である。
【００８６】
以下、ＰＴＲＳの配置方法（「配置パターン」あるいは「配置ルール」などの他の呼称に言い換えられてもよい）について、図６〜図２６を用いて説明する。
【００８７】
（ＰＴＲＳ配置方法の第１例）
図６は、一実施の形態に係るＰＴＲＳ配置方法の第１例を示す図である。図６に例示するＰＴＲＳの配置方法ａ１１−１及びａ１１−２は、ＦＬ−ＤＭＲＳの配置位置に基づいてＰＴＲＳの配置が設定される例である。
【００８８】
図６の例では、１スロットの先頭２シンボル（ＳＢ１及びＳＢ２）に、制御チャネル（例えば、ＰＤＣＣＨ又はＰＵＣＣＨ）の信号が配置され、３シンボル目（ＳＢ３）に、ＦＬ−ＤＭＲＳが配置される。
【００８９】
配置方法ａ１１−１では、ＦＬ−ＤＭＲＳが配置されるＳＢ３を基準に、ＰＴＲＳが２シンボル毎に配置される。例えば、ＳＢ５、ＳＢ７、ＳＢ９、ＳＢ１１、及び、ＳＢ１３のそれぞれに、ＰＴＲＳが配置される。
【００９０】
一方、配置方法ａ１１−２は、１スロットにおけるＰＴＲＳの挿入密度が配置方法ａ１１−１よりも低い例である。例えば、配置方法ａ１１−２では、１スロットにおいて、ＦＬ−ＤＭＲＳが配置されるＳＢ３を基準に、ＰＴＲＳが４シンボル毎に配置される。例えば、ＳＢ７及びＳＢ１１のそれぞれに、ＰＴＲＳが配置される。
【００９１】
なお、図６の例において、制御チャネル、又はＦＬ−ＤＭＲＳ、又はＰＴＲＳのマッピングを施していないＲＥにはデータチャネルの信号（例えば、ＰＤＳＣＨ又はＰＵＳＣＨ）が配置されてよい。この点は以降の説明で用いる図面においても同様である。
【００９２】
（ＰＴＲＳ配置方法の第２例）
図７は、一実施の形態に係るＰＴＲＳ配置方法の第２例を示す図である。図７に例示するＰＴＲＳの配置方法ａ１２−１及びａ１２−２は、１スロットの先頭３シンボル（ＳＢ１〜ＳＢ３）に、制御チャネル（例えば、ＰＤＣＣＨ又はＰＵＣＣＨ）の信号が配置され、４シンボル目（ＳＢ４）に、ＦＬ−ＤＭＲＳが配置される例である。
【００９３】
配置方法ａ１２−１では、ＦＬ−ＤＭＲＳが配置されるＳＢ４を基準に、ＰＴＲＳが２シンボル毎に配置される。例えば、ＳＢ６、ＳＢ８、ＳＢ１０、ＳＢ１２、及び、ＳＢ１４のそれぞれに、ＰＴＲＳが配置される。
【００９４】
一方、配置方法ａ１２−２は、１スロットにおけるＰＴＲＳの挿入密度が配置方法ａ１２−１よりも低い例である。例えば、配置方法ａ１２−２では、１スロットにおいて、ＦＬ−ＤＭＲＳが配置されるＳＢ４を基準に、ＰＴＲＳが４シンボル毎に配置される。例えば、ＳＢ８及びＳＢ１２のそれぞれに、ＰＴＲＳが配置される。
【００９５】
図６及び図７に例示した、ＰＴＲＳの配置方法によれば、チャネル推定及び／又はチャネル推定値の位相変動補正に用いるＦＬ−ＤＭＲＳと、チャネル推定値の位相変動補正に用いるＰＴＲＳと、の双方を考慮して、所要間隔でＰＴＲＳをマッピングすることが可能である。ＤＭＲＳのポートとＰＴＲＳのポートとが互いに関連付けられる場合、関連付けられたＤＭＲＳポートとＰＴＲＳポートには同じプリコーディングが適用される。したがって、チャネル推定、及び、チャネル推定値の位相変動補正に効果的なＰＴＲＳ配置を実現でき、信号品質の低下を抑制できる。
【００９６】
なお、１つ又は複数のスロット単位で、配置方法ａ１１−１及び配置方法ａ１１−２、および、その他の配置が選択的に適用されてもよい。
【００９７】
（ＰＴＲＳ配置方法の第３例）
図８は、一実施の形態に係るＰＴＲＳ配置方法の第３例を示す図である。図８に例示するＰＴＲＳの配置方法ａ１３は、１スロットの先頭シンボル（ＳＢ１）に、制御チャネル（例えば、ＰＤＣＣＨ又はＰＵＣＣＨ）の信号が配置され、４シンボル目（ＳＢ４）に、ＦＬ−ＤＭＲＳが配置され、２シンボル目から１４シンボル目までのＦＬ−ＤＭＲＳ又はＰＴＲＳが配置されていないリソースにはデータ信号（ＰＤＳＣＨ又はＰＵＳＣＨ）が配置される例である。
【００９８】
配置方法ａ１３では、ＰＴＲＳがＦＬ−ＤＭＲＳよりも前方に配置されてよい。配置される領域はデータ信号に限定されても良いし、限定されなくても良い。例えば、図８に示すように、ＰＴＲＳは、ＦＬ−ＤＭＲＳが配置されるＳＢ４を基準に、時間方向の前方及び後方に、２シンボル毎に配置されてよい。
【００９９】
例えば、ＦＬ−ＤＭＲＳが配置されるＳＢ４よりも前方のＳＢ２、並びに、ＳＢ４の後方のＳＢ６、ＳＢ８、ＳＢ１０、ＳＢ１２、ＳＢ１４が配置されてよい。
【０１００】
配置方法ａ１３によれば、ＦＬ−ＤＭＲＳよりも後方に配置されるデータ信号に限らず、ＦＬ−ＤＭＲＳよりも前方に配置されるデータ信号についてもＰＴＲＳに基づく位相変動の補正が可能である。
【０１０１】
（ＰＴＲＳ配置方法の第４例）
図９は、一実施の形態に係るＰＴＲＳ配置方法の第４例を示す図である。図９に例示するＰＴＲＳの配置方法ａ１４−１及びａ１４−２は、ＦＬ−ＤＭＲＳが２シンボルにまたがって配置される例である。
【０１０２】
非限定的な一例として、１スロットの先頭２シンボル（ＳＢ１及びＳＢ２）に、制御チャネル（例えば、ＰＤＣＣＨ又はＰＵＣＣＨ）の信号が配置され、３シンボル目（ＳＢ３）及び４シンボル目（ＳＢ４）に、ＦＬ−ＤＭＲＳが配置されてよい。
【０１０３】
このように、ＦＬ−ＤＭＲＳが２シンボルにまたがって配置される場合、ＰＴＲＳの配置は、２シンボルのＦＬ−ＤＭＲＳのいずれを基準に用いてもよい。例えば、配置方法ａ１４−１では、前方（ＳＢ３）に配置されるＦＬ−ＤＭＲＳを基準に、ＰＴＲＳが２シンボル毎に配置される。一方、配置方法ａ１４−２では、後方（ＳＢ４）に配置されるＦＬ−ＤＭＲＳを基準に、ＰＴＲＳが２シンボル毎に配置される。
【０１０４】
配置方法ａ１４−１では、複数のＤＭＲＳポートがＴＤ−ＯＣＣによって多重されるか否か（別言すると、複数シンボルのＤＭＲＳを基に１つのチャネル推定値が得られるか否か）に関わらず、所要間隔でのＰＴＲＳマッピングを実現できる。
【０１０５】
一方、配置方法ａ１４−２では、単一のＤＭＲＳポートのＤＭＲＳが複数シンボルにまたがってレペティション（repetition）される場合、複数シンボルのＤＭＲＳ（例えば、ＳＢ３及びＳＢ４のＤＭＲＳ）それぞれを基にチャネル推定値が得られる。この場合、ＳＢ４においてチャネル推定値が得られるため、基準を時間方向の後方にずらしてもよい。これに伴い、ＰＴＲＳの配置位置も時間方向の後方にずらせるため、ＤＭＲＳの配置位置及び／又はＰＴＲＳの配置間隔によっては、ＰＴＲＳのオーバヘッドを増大させずに、所要間隔でのＰＴＲＳマッピングを実現できる。
【０１０６】
（ＰＴＲＳ配置方法の第５例）
図１０は、一実施の形態に係るＰＴＲＳ配置方法の第５例を示す図である。図１０に例示するＰＴＲＳの配置方法ａ１５は、図９と同様に、ＦＬ−ＤＭＲＳが２シンボルにまたがって配置される例である。ただし、図９の例では、ＳＢ３及びＳＢ４にＦＬ−ＤＭＲＳが配置されるのに対し、図１０の例では、ＳＢ４及びＳＢ５にＦＬ−ＤＭＲＳが配置される。
【０１０７】
配置方法ａ１５では、ＦＬ−ＤＭＲＳよりも前方に配置するＰＴＲＳは、ＦＬ−ＤＭＲＳが配置されるＳＢ４及びＳＢ５のうち前方のＳＢ４を基準にしてよい。また、ＦＬ−ＤＭＲＳよりも後方に配置するＰＴＲＳは、ＦＬ−ＤＭＲＳが配置されるＳＢ４及びＳＢ５のうち後方のＳＢ５を基準にしてよい。なお、図１０の例では、２シンボル毎にＰＴＲＳが配置される。
【０１０８】
配置方法ａ１５によれば、ＦＬ−ＤＭＲＳの前方及び後方のそれぞれに関して、所要間隔でのＰＴＲＳマッピングを実現できる。
【０１０９】
（ＰＴＲＳ配置方法の第６例）
図１１は、一実施の形態に係るＰＴＲＳ配置方法の第６例を示す図である。図１１の配置例は、図９の配置例の再掲である。図９が送信側（例えば、無線基地局１０）に着目した配置例と捉えた場合の、受信側（例えば、ユーザ端末２０）での観点での動作例を説明するために、便宜的に、図９の配置例を図１１に再掲する。
【０１１０】
そのため、図１１に例示する配置方法ａ１６−１及びａ１６−２は、それぞれ、図９に例示した配置方法ａ１４−１及びａ１４−２と変わりない。
【０１１１】
例えば、配置方法ａ１６−１では、前方（ＳＢ３）に配置されるＦＬ−ＤＭＲＳを基準に、ＰＴＲＳが２シンボル毎に配置されてよい。一方、配置方法ａ１６−２では、後方（ＳＢ４）に配置されるＦＬ−ＤＭＲＳを基準に、ＰＴＲＳが２シンボル毎に配置されてよい。
【０１１２】
ユーザ端末２０の観点では、複数のＤＭＲＳポートのＤＭＲＳがＴＤ−ＯＣＣによって多重されている場合は、配置方法ａ１６−１において、ＤＭＲＳが配置されるＳＢ３及びＳＢ４のうち前方のＳＢ３を基準に、ＰＴＲＳの配置位置が特定されてよい。ユーザ端末２０の観点で、複数のＤＭＲＳポートのＤＭＲＳがＴＤ−ＯＣＣによって多重されている場合とは、例えば、ユーザ端末２０に割り当てられたＤＭＲＳポートが、図３のマッピングパターンＡにおけるポート＃０及びポート＃４の場合に相当する。
【０１１３】
一方、単一のポートのＤＭＲＳが複数シンボルにわたってレペティションされている場合は、配置方法ａ１６−２において、ＤＭＲＳが配置されるＳＢ３及びＳＢ４のうち後方のＳＢ４を基準に、ＰＴＲＳの配置位置が特定されてよい。
【０１１４】
このように、ＤＭＲＳの多重方法に応じて適切な間隔でのＰＴＲＳマッピングが実現可能である。
【０１１５】
（ＰＴＲＳ配置方法の第７例）
図１２は、一実施の形態に係るＰＴＲＳ配置方法の第７例を示す図である。図１２には、ＵＬ  ＤＦＴ−Ｓ−ＯＦＤＭにおいて周波数ホッピングが適用される場合の配置方法（ａ１７−１及びａ１７−２）が例示されている。
【０１１６】
例えば図１２に示すように、スロットは、時間方向において、第１ホップ（1st hop）領域（ＳＢ１からＳＢ７）と第２ホップ（2nd hop）領域（ＳＢ８からＳＢ１４）とに区切られてよい。図１２では、図示の便宜上、同一の周波数リソース（ＳＣ１〜ＳＣ１２）において、第１ホップ領域と第２ホップ領域とが示されている。１ユーザ端末２０に対して第１ホップ領域と第２ホップ領域とで異なる周波数リソースが周波数ホッピングによって割り当てられてよい。
【０１１７】
また、図１２に示すＰＴＲＳは、各ＲＥにＰＴＲＳのみが配置されることを示すのでは無く、ＰＴＲＳを含むシンボルであることを示す。詳細については後述する。
【０１１８】
そして、図１２の例では、ＤＭＲＳが１シンボル目（ＳＢ１）及び８シンボル目（ＳＢ８）に配置される。別言すると、第１ホップ領域及び第２ホップ領域それぞれの１シンボル目（ＳＢ１及びＳＢ８）に、ＤＭＲＳが配置される。当該ＤＭＲＳは、ＦＬ−ＤＭＲＳ及びＡ−ＤＭＲＳ（additional ＤＭＲＳ）のいずれ、もしくは単にＤＭＲＳであってもよい。また、ＰＴＲＳは、２シンボル毎に配置される。
【０１１９】
配置方法ａ１７−１では、第１ホップ領域及び第２ホップ領域のいずれについても、第１ホップ領域内に配置されるＤＭＲＳ（ＳＢ１）を基準に、ＰＴＲＳが配置されてよい。別言すると、第２ホップ領域に配置されるＰＴＲＳは、第１ホップ領域に配置されるＤＭＲＳの位置を基準に配置されてよい。
【０１２０】
例えば、ＰＴＲＳを２シンボル毎に配置する場合、第１ホップ領域では、ＳＢ３、ＳＢ５、及び、ＳＢ７にＰＴＲＳが配置され、第２ホップ領域では、ＳＢ９、ＳＢ１１、及び、ＳＢ１３にＰＴＲＳが配置される。
【０１２１】
一方、配置方法ａ１７−２では、第１ホップ領域及び第２ホップの領域のそれぞれに配置されるＤＭＲＳの位置を基準に、各ホップ領域にＰＴＲＳが配置される。
【０１２２】
例えば、第１ホップ領域に配置されるＤＭＲＳの位置（例えば、ＳＢ１）を基準に、第１ホップ領域のＰＴＲＳが配置され、第２ホップ領域に配置されるＤＭＲＳの位置（例えば、ＳＢ８）を基準に、第２ホップ領域のＰＴＲＳが配置されてよい。
【０１２３】
例えば、ＰＴＲＳを２シンボル毎に配置する場合、第１ホップ領域では、ＳＢ３、ＳＢ５、及び、ＳＢ７にＰＴＲＳが配置され、第２ホップ領域では、ＳＢ１０、ＳＢ１２、及び、ＳＢ１４にＰＴＲＳが配置される。
【０１２４】
配置方法ａ１７−１によれば、第２ホップ領域に配置されるＤＭＲＳの位置に依存せずに、単一の指標によってＰＴＲＳをマッピングすることが可能である。
【０１２５】
一方、配置方法ａ１７−２によれば、第１及び第２ホップ領域のそれぞれについて、ＤＭＲＳの配置位置を考慮した適切なＰＴＲＳマッピングを実現できる。
【０１２６】
なお、ＤＦＴ−Ｓ−ＯＦＤＭの場合にＵＬ信号に配置されるＰＴＲＳは、ＰＴＲＳが含まれるＤＦＴ−Ｓ−ＯＦＤＭシンボルと捉えてよい。「ＰＴＲＳが含まれる」とは、「Ｐｒｅ−ＤＦＴ  ｉｎｓｅｒｔｉｏｎ」であるか、「Ｐｏｓｔ−ＤＦＴ  ｉｎｓｅｒｔｉｏｎ」であるかを問わず、同一シンボル内にＰＴＲＳ以外の信号（例えばＰＵＳＣＨ）等が含まれていても良いことを示す意図である。
【０１２７】
「Ｐｒｅ−ＤＦＴ  ｉｎｓｅｒｔｉｏｎ」では、例えば、ＤＦＴ処理を行う前にＰＴＲＳが挿入されるため、ＰＴＲＳと、データ信号及び／又は他のチャネルの信号と、がまとめてＤＦＴされ、ＯＦＤＭ変調が施されることによって、１つのシンボルが形成される。
【０１２８】
「Ｐｏｓｔ−ＤＦＴ  ｉｎｓｅｒｔｉｏｎ」では、例えば、データ信号及び／又は他のチャネルの信号に対してＤＦＴ処理を行った後で、個別にＰＴＲＳが挿入される。そのため、データ信号及び／又は他のチャネルの信号と、ＰＴＲＳと、が１つのシンボル内で周波数多重される。又はデータ信号及び／又は他のチャネルの信号が多重されずＰＴＲＳのみが挿入される。
【０１２９】
別言すると、「ＰＴＲＳが含まれる」とは、ＰＴＲＳに、データ信号及び／又は他のチャネルの信号が多重されていてもよいことを意味する。この点は、以降の説明においても同じである。
【０１３０】
また、ホップ領域の数は２に限られない。３つ以上のホップ領域が時間方向に設定される場合もあり得る。３つ以上のホップ領域が設定される場合、先頭のホップ領域内に配置されるＤＭＲＳを基準にして、後方に位置する他の１つ又は２つ以上のホップ領域に、ＰＴＲＳが配置されてよい。あるいは、２番目以降のホップ領域のＰＴＲＳは、当該ホップ領域よりも前方のホップ領域に配置されるＤＭＲＳを基準に配置されてもよい。あるいは、個々のホップ領域内に配置されるＤＭＲＳを基準に、個々のホップ領域にＰＴＲＳが配置されてもよい。また、ホップ領域は、それぞれ等しい数のシンボルが含まれる場合に限られない。例えば、ホップ領域の数が２の場合、先頭のホップが１０シンボル、２つ目のホップが４シンボルであってもよい。
【０１３１】
（ＰＴＲＳ配置方法の第８例）
図１３は、一実施の形態に係るＰＴＲＳ配置方法の第８例を示す図である。図１３の例は、ＵＬ  ＤＦＴ−Ｓ−ＯＦＤＭにおいて周波数ホッピングが適用される場合について示した図１２の変形例と捉えてよい。
【０１３２】
図１３の例（配置方法ａ１８−１及びａ１８−２）では、ＦＬ−ＤＭＲＳが３シンボル目（ＳＢ３）及び１０シンボル目（ＳＢ１０）に配置される。別言すると、第１ホップ領域及び第２ホップ領域それぞれの先頭シンボルよりも後方に、ＤＭＲＳが配置される。当該ＤＭＲＳは、ＦＬ−ＤＭＲＳ及びＡ−ＤＭＲＳのいずれか、もしくは単にＤＭＲＳであってもよい。また、図１２の例ではＰＴＲＳが２シンボル毎に配置されるのに対し、図１３の例ではＰＴＲＳが４シンボル毎に配置される。
【０１３３】
配置方法ａ１８−１では、配置方法ａ１７−１と同様に、第１ホップ領域及び第２ホップ領域のいずれについても、第１ホップ領域内に配置されるＤＭＲＳ（ＳＢ３）を基準に、ＰＴＲＳが配置されてよい。別言すると、第２ホップ領域に配置されるＰＴＲＳは、第１ホップ領域に配置されるＤＭＲＳの位置を基準に配置されてよい。
【０１３４】
例えば、ＰＴＲＳを４シンボル毎に配置する場合、第１ホップ領域では、ＳＢ７にＰＴＲＳが配置され、第２ホップ領域では、ＳＢ１１にＰＴＲＳが配置される。
【０１３５】
一方、配置方法ａ１８−２では、配置方法ａ１７−２と同様に、第１ホップ領域及び第２ホップの領域のそれぞれに配置されるＤＭＲＳの位置を基準に、各ホップ領域にＰＴＲＳが配置されてよい。
【０１３６】
例えば、第１ホップ領域に配置されるＤＭＲＳの位置（例えば、ＳＢ３）を基準に、第１ホップ領域のＰＴＲＳが配置され、第２ホップ領域に配置されるＤＭＲＳの位置（例えば、ＳＢ１０）を基準に、第２ホップ領域のＰＴＲＳが配置されてよい。
【０１３７】
例えば、ＰＴＲＳを４シンボル毎に配置する場合、第１ホップ領域では、ＳＢ７にＰＴＲＳが配置され、第２ホップ領域では、ＳＢ１４にＰＴＲＳが配置される。
【０１３８】
配置方法ａ１８−１によれば、第２ホップ領域に配置されるＤＭＲＳの位置に依存せずに、単一の指標によってＰＴＲＳをマッピングすることが可能である。
【０１３９】
一方、配置方法ａ１８−２によれば、第１及び第２ホップ領域のそれぞれについて、各ホップのＤＭＲＳの配置位置を考慮した適切なＰＴＲＳマッピングを実現できる。
【０１４０】
なお、図１３の例においても、ホップ領域の数は２に限られない。３つ以上のホップ領域が時間方向に設定される場合もあり得る。３つ以上のホップ領域が設定される場合、先頭のホップ領域内に配置されるＤＭＲＳを基準に、後方に位置する他の１つ又は２つ以上のホップ領域に、ＰＴＲＳが配置されてよい。あるいは、２番目以降のホップ領域のＰＴＲＳは、当該ホップ領域よりも前方のホップ領域に配置されるＤＭＲＳを基準に配置されてもよい。あるいは、個々のホップ領域内に配置されるＤＭＲＳを基準に、個々のホップ領域にＰＴＲＳが配置されてもよい。また、ホップ領域は、それぞれ等しい数のシンボルが含まれる場合に限られない。例えば、ホップ領域の数が２の場合、先頭のホップが１０シンボル、２つ目のホップが４シンボルであってもよい。
【０１４１】
また、以上に示すＦＬ−ＤＭＲＳを基準とする方法は、１つのスロット（又は、ミニスロットでもよい）に、ＵＬ期間とＤＬ期間とが混在する場合においても適用されてもよい（図示せず）。この場合、ＤＬのＦＬ−ＤＭＲＳとＵＬのＦＬ−ＤＭＲＳのいずれか一方もしくは両方を基準としても良い。
【０１４２】
（ＰＴＲＳ配置方法の第９例）
図１４は、一実施の形態に係るＰＴＲＳ配置方法の第９例を示す図であり、ＰＴＲＳをＤＭＲＳの配置位置には依存しないで配置する方法（ａ１９−１及びａ１９−２）の一例である。図１４は、１つのスロット（又は、ミニスロットでもよい）の先頭２シンボル（ＳＢ１及びＳＢ２）に制御チャネル（例えば、ＰＤＣＣＨ又はＰＵＣＣＨ）の信号が配置され、３シンボル目（ＳＢ３）に、ＦＬ−ＤＭＲＳが配置される例である。
【０１４３】
ＰＴＲＳは、ＦＬ−ＤＭＲＳの配置位置（ＳＢ３）には依存しないで、例えば、スロット内の先頭シンボル（ＳＢ１）を基準に配置されてよい。
【０１４４】
例えば、配置方法ａ１９−１では、ＳＢ１を基準に、２シンボル毎にＰＴＲＳが配置される。例えば、ＳＢ５、ＳＢ７、ＳＢ９、ＳＢ１１、及び、ＳＢ１３に、ＰＴＲＳが配置される。
【０１４５】
なお、ＳＢ３にもＰＴＲＳが配置されるはずであるが、ＳＢ３にはＤＭＲＳが配置されるので、配置方法ａ１９−１では、ＳＢ３に配置される予定のＰＴＲＳが、ＤＭＲＳとの衝突回避のためにパンクチャされている。ＳＢ３にＤＭＲＳが配置されないのであれば、ＳＢ３にもＰＴＲＳが配置されてよい。
【０１４６】
一方、配置方法ａ１９−２では、ＳＢ１を基準に、４シンボル毎にＰＴＲＳが配置される。例えば、ＳＢ５、ＳＢ９、及び、ＳＢ１３に、ＰＴＲＳが配置される。
【０１４７】
配置方法ａ１９−１及びａ１９−２によれば、ＤＭＲＳの配置位置、ＤＭＲＳポート、及び／又は、ＤＭＲＳポートとＰＴＲＳポートとの関連付けなどに依存せずに、ＰＴＲＳの配置位置が一意に決まるので、実装観点で有利である。
【０１４８】
なお、図１４の例では、ＰＴＲＳの配置基準である先頭シンボルが、制御チャネルの信号であるため、先頭シンボルにはＰＴＲＳは配置されないが、先頭シンボルがＰＴＲＳの配置が許容されるシンボルであれば、先頭シンボルにＰＴＲＳが配置されてよい。別言すると、ＰＴＲＳ配置の基準シンボルにＰＴＲＳを配置できる場合と配置できない場合とがある（以降の説明において同じ）。
【０１４９】
（ＰＴＲＳ配置方法の第１０例）
図１５は、一実施の形態に係るＰＴＲＳ配置方法の第１０例を示す図である。図１５には、１つのスロット（又は、ミニスロットでもよい）に、ＵＬ期間とＤＬ期間とが混在する場合の配置例（ＰＴＲＳの配置方法ａ２０）が示されている。
【０１５０】
例えば、１４シンボル（ＳＢ１〜ＳＢ１４）のうち、１０シンボル（ＳＢ１〜ＳＢ１０）がＤＬ期間に属し、３シンボル（ＳＢ１２〜ＳＢ１４）がＵＬ期間に属する。なお、ＳＢ１１は、ＤＬとＵＬを切り替えるためのガード区間（ガードピリオド）であってよい。また、ＤＬ期間の先頭２シンボル（ＳＢ１及びＳＢ２）に制御チャネル（例えば、ＰＤＣＣＨ）の信号が配置される。
【０１５１】
ＤＭＲＳは、ＤＬ期間の３シンボル目（ＳＢ３）、及び、ＵＬ期間の先頭シンボル（ＳＢ１２）に配置される。ＳＢ３に配置されるＤＭＲＳは、ＦＬ−ＤＭＲＳであってよく、ＳＢ１２に配置されるＤＭＲＳは、ＦＬ−ＤＭＲＳ又はＡ−ＤＭＲＳ、もしくは単にＤＭＲＳであってよい。
【０１５２】
配置方法ａ２０では、ＤＬ期間及びＵＬ期間それぞれの開始シンボルを基準に、ＰＴＲＳが配置されてよい。例えば、ＰＴＲＳを２シンボル毎に配置する場合、ＤＬ期間においては、ＤＬ期間の開始シンボルであるＳＢ１を基準に、ＳＢ５、ＳＢ７、及び、ＳＢ９に、ＰＴＲＳが配置される。
【０１５３】
なお、ＳＢ３にはＤＭＲＳが配置されるので、配置方法ａ２０では、ＳＢ３に配置される予定のＰＴＲＳが、ＤＭＲＳとの衝突回避のために、例えばパンクチャされている。ＳＢ３にＤＭＲＳが配置されないのであれば、ＳＢ３にもＰＴＲＳが配置されてよい。
【０１５４】
配置方法ａ２０においても、ＤＭＲＳの配置位置、ＤＭＲＳポート、及び／又は、ＤＭＲＳポートとＰＴＲＳポートとの関連付けなどに依存せずに、ＰＴＲＳの配置位置が一意に決まるので、実装観点で有利である。
【０１５５】
なお、図１５では、ＤＬ期間とＵＬ期間とで連続するシンボルのインデックス（ＳＢ１〜ＳＢ１４）が付されている。例えば、ＤＬ期間とＵＬ期間とでシンボルに割り振られるインデックスが異なる可能性があるが、ＤＬ期間及び／又はＵＬ期間の開始シンボルに相当するシンボルがＰＴＲＳの配置基準に用いられればよい。
【０１５６】
また、ＤＬ期間及び／又はＵＬ期間の終了シンボルを基準にＰＴＲＳが配置されてもよい。また、ＤＬ期間及びＵＬ期間の一方の期間における開始シンボル又は終了シンボルを基準に、ＤＬ期間及びＵＬ期間の他方の期間におけるＰＴＲＳが配置されてもよい。
【０１５７】
（ＰＴＲＳ配置方法の第１１例）
図１６は、一実施の形態に係るＰＴＲＳ配置方法の第１１例を示す図である。図１６には、ＵＬ  ＤＦＴ−Ｓ−ＯＦＤＭにおいて周波数ホッピングが適用される場合の配置方法（ａ２１−１及びａ２１−２）が例示されている。例えば図１６に示すように、スロットは、時間方向に第１ホップ（1st hop）領域と第２ホップ（2nd hop）領域とに区切られてよい。例えば、１ユーザ端末２０に対して第１ホップ領域と第２ホップ領域とで異なる周波数リソースが周波数ホッピングによって割り当てられてよい。
【０１５８】
そして、図１６の例では、ＦＬ−ＤＭＲＳが１シンボル目（ＳＢ１）及び８シンボル目（ＳＢ８）に配置される。別言すると、第１ホップ領域及び第２ホップ領域それぞれの１シンボル目（ＳＢ１及びＳＢ８）に、ＤＭＲＳが配置される。また、ＰＴＲＳは、２シンボル毎に配置される。
【０１５９】
配置方法ａ２１−１では、第１ホップ領域及び第２ホップ領域のいずれについても、第１ホップ領域の先頭シンボル（ＳＢ１）を基準に、ＰＴＲＳが配置されてよい。別言すると、第２ホップ領域に配置されるＰＴＲＳは、第１ホップ領域の先頭シンボルの位置を基準に配置されてよい。
【０１６０】
例えば、ＰＴＲＳを２シンボル毎に配置する場合、第１ホップ領域では、ＳＢ３、ＳＢ５、及び、ＳＢ７にＰＴＲＳが配置され、第２ホップ領域では、ＳＢ９、ＳＢ１１、及び、ＳＢ１３にＰＴＲＳが配置される。
【０１６１】
一方、配置方法ａ２１−２では、第１ホップ領域及び第２ホップの領域のそれぞれの先頭シンボル（ＳＢ１及びＳＢ８）を基準に、各ホップ領域にＰＴＲＳが配置される。
【０１６２】
例えば、第１ホップ領域の先頭シンボル（ＳＢ１）を基準に、第１ホップ領域のＰＴＲＳが配置され、第２ホップ領域の先頭シンボル（ＳＢ８）を基準に、第２ホップ領域のＰＴＲＳが配置されてよい。
【０１６３】
例えば、ＰＴＲＳを２シンボル毎に配置する場合、第１ホップ領域では、ＳＢ３、ＳＢ５、及び、ＳＢ７にＰＴＲＳが配置され、第２ホップ領域では、ＳＢ１０、ＳＢ１２、及び、ＳＢ１４にＰＴＲＳが配置される。
【０１６４】
配置方法ａ２１−１によれば、第２ホップ領域における先頭シンボル位置には依存せずに、第１ホップ領域の先頭シンボルという単一の指標によってＰＴＲＳをマッピングすることが可能である。一方、配置方法ａ２１−２によれば、第１及び第２ホップ領域毎に、同じ位置にＰＴＲＳをマッピングすることが可能である。
【０１６５】
なお、図１６は、第１ホップ領域及び第２ホップ領域それぞれの先頭シンボルにＤＭＲＳが配置される例であるため、ＤＭＲＳを基準にＰＴＲＳが配置されるように見える。しかし、配置方法ａ２１−１及びａ２１−２は、ＤＭＲＳの配置位置を基準にするのではなく、第１ホップ領域及び／又は第２ホップ領域の先頭シンボルを基準にＰＴＲＳが配置される例である。
【０１６６】
また、図１６の例においても、ホップ領域の数は２に限られない。３つ以上のホップ領域が時間方向に設定される場合もあり得る。３つ以上のホップ領域が設定される場合、先頭のホップ領域内の先頭シンボルを基準に、後方に位置する他の１つ又は２つ以上のホップ領域に、ＰＴＲＳが配置されてよい。あるいは、２番目以降のホップ領域のＰＴＲＳは、当該ホップ領域よりも前方のホップ領域における先頭シンボルを基準に配置されてもよい。あるいは、個々のホップ領域内に配置される先頭シンボルを基準に、個々のホップ領域にＰＴＲＳが配置されてもよい。また、ホップ領域は、それぞれ等しい数のシンボルが含まれる場合に限られない。例えば、ホップ領域の数が２の場合、先頭のホップが１０シンボル、２つ目のホップが４シンボルであってもよい。
【０１６７】
（ＰＴＲＳ配置方法の第１２例）
図１７は、一実施の形態に係るＰＴＲＳ配置方法の第１２例を示す図である。図１７の例は、ＵＬ  ＤＦＴ−Ｓ−ＯＦＤＭにおいて周波数ホッピングが適用される場合について示した図１６の変形例と捉えてよい。
【０１６８】
図１７の例（配置方法ａ２２−１及びａ２２−２）では、ＤＭＲＳが３シンボル目（ＳＢ３）及び１０シンボル目（ＳＢ１０）に配置される。別言すると、第１ホップ領域及び第２ホップ領域それぞれの先頭シンボルよりも後方に、ＤＭＲＳが配置される。また、図１６の例ではＰＴＲＳが２シンボル毎に配置されるのに対し、図１７の例ではＰＴＲＳが４シンボル毎に配置される。
【０１６９】
配置方法ａ２２−１では、配置方法ａ２１−１と同様に、第１ホップ領域及び第２ホップ領域のいずれについても、第１ホップ領域の先頭シンボル（ＳＢ１）を基準に、ＰＴＲＳが配置されてよい。別言すると、第２ホップ領域に配置されるＰＴＲＳは、第１ホップ領域の先頭シンボル（ＳＢ１）を基準に配置されてよい。
【０１７０】
例えば、ＰＴＲＳを４シンボル毎に配置する場合、第１ホップ領域では、ＳＢ１及びＳＢ５にＰＴＲＳが配置され、第２ホップ領域では、ＳＢ９及びＳＢ１３にＰＴＲＳが配置される。なお、基準シンボルであるＳＢ１は、ＰＴＲＳの配置が許容されるシンボルであるため、ＳＢ１にもＰＴＲＳを配置可能である。
【０１７１】
一方、配置方法ａ２２−２では、配置方法ａ２１−２と同様に、第１ホップ領域及び第２ホップの領域それぞれの先頭シンボルを基準に、各ホップ領域にＰＴＲＳが配置されてよい。
【０１７２】
例えば、第１ホップ領域の先頭シンボル（ＳＢ１）を基準に、第１ホップ領域のＰＴＲＳが配置され、第２ホップ領域の先頭シンボル（ＳＢ８）を基準に、第２ホップ領域のＰＴＲＳが配置されてよい。
【０１７３】
例えば、ＰＴＲＳを４シンボル毎に配置する場合、第１ホップ領域では、ＳＢ１及びＳＢ７にＰＴＲＳが配置され、第２ホップ領域では、ＳＢ８及びＳＢ１２にＰＴＲＳが配置される。なお、基準シンボルであるＳＢ１及びＳＢ８は、いずれも、ＰＴＲＳの配置が許容されるシンボルである。
【０１７４】
配置方法ａ２２−１によれば、第２ホップ領域における先頭シンボル位置には依存せずに、第１ホップ領域の先頭シンボルという単一の指標によってＰＴＲＳをマッピングすることが可能である。一方、配置方法ａ２２−２によれば、第１及び第２ホップ領域毎に、同じ位置にＰＴＲＳをマッピングすることが可能である。
【０１７５】
なお、図１７の例においても、ホップ領域の数は２に限られない。３つ以上のホップ領域が時間方向に設定される場合もあり得る。３つ以上のホップ領域が設定される場合、先頭のホップ領域内の先頭シンボルを基準に、後方に位置する他の１つ又は２つ以上のホップ領域に、ＰＴＲＳが配置されてよい。あるいは、２番目以降のホップ領域のＰＴＲＳは、当該ホップ領域よりも前方のホップ領域における先頭シンボルを基準に配置されてもよい。あるいは、個々のホップ領域内に配置される先頭シンボルを基準に、個々のホップ領域にＰＴＲＳが配置されてもよい。また、ホップ領域は、それぞれ等しい数のシンボルが含まれる場合に限られない。例えば、ホップ領域の数が２の場合、先頭のホップが１０シンボル、２つ目のホップが４シンボルであってもよい。
【０１７６】
（ＰＴＲＳ配置方法の第１３例）
図１８は、一実施の形態に係るＰＴＲＳ配置方法の第１３例を示す図である。図１８には、データチャネル（例えば、ＰＤＳＣＨ又はＰＵＳＣＨ）に属するシンボル（例えば、先頭シンボル）を基準にＰＴＲＳが配置される例（配置方法ａ３１−１及びａ３１−２）が示されている。
【０１７７】
図１８の例では、１スロットの先頭シンボルに、制御チャネル（ＰＤＣＣＨ又はＰＵＣＣＨ）が配置され、３シンボル目（ＳＢ）にＤＭＲＳが配置される。当該ＤＭＲＳは、ＦＬ−ＤＭＲＳ及びＡ−ＤＭＲＳのいずれであってもよい。また、データチャネル（ＰＤＳＣＨ又はＰＵＳＣＨ）が、２シンボル目（ＳＢ２）から１４シンボル目（ＳＢ１４）の、ＤＭＲＳ又はＰＴＲＳが配置されていない領域に配置される。
【０１７８】
配置方法ａ３１−１では、１スロットの２シンボル目（ＳＢ２）、別言すると、データチャネルの先頭シンボルを基準に、２シンボル毎にＰＴＲＳが配置される。例えば、ＳＢ２、ＳＢ４、ＳＢ６、ＳＢ８、ＳＢ１０、及び、ＳＢ１２に、ＰＴＲＳが配置される。なお、基準シンボルＳＢ２は、データチャネルに属するため、ＰＴＲＳの配置が許容されるシンボルである。
【０１７９】
配置方法ａ３１−２は、１スロットにおけるＰＴＲＳの挿入密度が配置方法ａ３１−１よりも低い例である。例えば、配置方法ａ３１−２では、１スロットの２シンボル目（ＳＢ２）、別言すると、データチャネルの先頭シンボルを基準に、４シンボル毎にＰＴＲＳが配置される。例えば、ＳＢ２、ＳＢ６、ＳＢ１０、及び、ＳＢ１４に、ＰＴＲＳが配置される。なお、基準シンボルＳＢ２は、データチャネルに属するため、ＰＴＲＳの配置が許容されるシンボルである。
【０１８０】
配置方法ａ３１−１及びａ３１−２によれば、データチャネル内においてＰＴＲＳの配置位置が一意に決まるため、実装観点で有利である。
【０１８１】
（ＰＴＲＳ配置方法の第１４例）
図１９は、一実施の形態に係るＰＴＲＳ配置方法の第１４例を示す図である。図１９には、１つのスロット（又は、ミニスロットでもよい）に、ＵＬ期間とＤＬ期間とが混在する場合の配置例（ＰＴＲＳの配置方法ａ３２）が示されている。
【０１８２】
例えば、１４シンボル（ＳＢ１〜ＳＢ１４）のうち、１０シンボル（ＳＢ１〜ＳＢ１０）がＤＬ期間に属し、３シンボル（ＳＢ１２〜ＳＢ１４）がＵＬ期間に属する。なお、ＳＢ１１は、ＤＬとＵＬを切り替えるためのガード区間（ガードピリオド）であってよい。また、ＤＬ期間の先頭シンボル（ＳＢ１）に制御チャネル（例えば、ＰＤＣＣＨ又はＰＵＣＣＨ）の信号が配置される。
【０１８３】
ＤＭＲＳは、ＤＬ期間の３シンボル目（ＳＢ３）、及び、ＵＬ期間の開始シンボル（ＳＢ１２）に配置される。ＳＢ３に配置されるＤＭＲＳは、ＦＬ−ＤＭＲＳであってよく、ＳＢ１２に配置されるＤＭＲＳは、ＦＬ−ＤＭＲＳ又はＡ−ＤＭＲＳ、もしくは単にＤＭＲＳであってよい。
【０１８４】
配置方法ａ３２では、ＤＬ期間及びＵＬ期間それぞれにおけるデータチャネルの開始シンボル（ＳＢ２及びＳＢ１２）を基準に、ＰＴＲＳが配置されてよい。
【０１８５】
例えば、ＰＴＲＳを２シンボル毎に配置する場合、ＤＬ期間においては、ＤＬのデータチャネルの開始シンボル（ＳＢ２）を基準に、ＳＢ２、ＳＢ４、及び、ＳＢ６、ＳＢ８、及び、ＳＢ１０に、ＰＴＲＳが配置される。
【０１８６】
ＵＬ期間では、例えば、ＵＬのデータチャネルの開始シンボル（ＳＢ１２）を基準に、ＳＢ１４にＰＴＲＳが配置される。なお、図１９の例では、ＳＢ１２にＤＭＲＳが配置されるため、基準シンボルＳＢ１２には、ＰＴＲＳは配置されない。
【０１８７】
配置方法ａ３２によれば、ＵＬ及びＤＬのデータチャネルそれぞれにおいてＰＴＲＳの配置位置が一意に決まるため、実装観点で有利である。
【０１８８】
なお、ＤＬ期間とＵＬ期間とでシンボルに割り振られるインデックスが異なる可能性があるが、ＤＬ期間及び／又はＵＬ期間におけるデータチャネルの開始シンボルに相当するシンボルがＰＴＲＳの配置基準に用いられればよい。
【０１８９】
また、ＤＬ期間及び／又はＵＬ期間におけるデータチャネルの終了シンボルを基準にＰＴＲＳが配置されてもよい。また、ＤＬ期間及びＵＬ期間の一方の期間におけるデータチャネルの開始シンボル又は終了シンボルを基準に、ＤＬ期間及びＵＬ期間の他方の期間におけるＰＴＲＳが配置されてもよい。
【０１９０】
以上説明したように、上述した各種のＰＴＲＳの配置方法を含む実施形態によれば、無線リンク信号の伝搬チャネルにおける位相変動を効果的に補正できる。したがって、位相雑音などの影響による無線リンク信号の品質低下を抑制できる。
【０１９１】
（バリエーション）
なお、図２０に例示するように、１スロット内に、ＦＬ−ＤＭＲＳとは別に、Ａ−ＤＭＲＳが配置される場合、Ａ−ＤＭＲＳよりも後方に配置するＰＴＲＳは、Ａ−ＤＭＲＳを基準に配置されてよい。
【０１９２】
例えば、ＦＬ−ＤＭＲＳが１スロットの３シンボル目（ＳＢ３）に配置され、Ａ−ＤＭＲＳが１スロットの１２シンボル目（ＳＢ１２）に配置される場合、１３シンボル目（ＳＢ１３）以降に配置するＰＴＲＳは、ＳＢ１２を基準に配置されてよい。例えば、ＰＴＲＳを２シンボル毎に配置する場合、ＳＢ１４にＰＴＲＳが配置されてよい。なお、Ａ−ＤＭＲＳが配置されるシンボル（ＳＢ１２）よりも前方に配置するＰＴＲＳについては、ＦＬ−ＤＭＲＳが配置されたＳＢ３を基準に配置されてよい。例えば、ＳＢ５、ＳＢ７、ＳＢ９、及び、ＳＢ１１に、ＰＴＲＳが配置されてよい。
【０１９３】
また、ＰＴＲＳと他のＲＳ（例えば、ＣＳＩ−ＲＳなど）との衝突が生じる場合、当該ＰＴＲＳ（及び、以降のＰＴＲＳ）は、パンクチャされたり、時間方向及び／又は周波数方向にシフトされたりしてもよい。なお、「ＣＳＩ−ＲＳ」は、「Channel State Information - Reference Signal」の略称である。
【０１９４】
図２１〜図２４に、４シンボル毎にＰＴＲＳが配置される場合に、ＳＢ１１においてＰＴＲＳと他のＲＳとが衝突する例を示す。図２１〜図２４の例において、他のＲＳは、ＳＢ１０及びＳＢ１１の２シンボル、かつ、ＳＣ１〜ＳＣ１２の全部（ただし、一部でも構わない）にまたがって配置される。そのため、図２１〜図２４において、太枠で囲まれたＳＢ１１において、ＰＴＲＳと他のＲＳとの衝突が生じる。
【０１９５】
図２１の例では、ＳＢ１１において他のＲＳと衝突するＰＴＲＳ（以下、便宜的に「衝突ＰＴＲＳ」と称することがある。）がパンクチャされる。
【０１９６】
図２２の例では、ＳＢ１１において他のＲＳと衝突するＰＴＲＳが時間方向の後方（例えば、ＳＢ１２）にシフトされる。なお、図２２の例において、衝突ＰＴＲＳがシフトされるシンボルはＳＢ１３以降のシンボルであってもよい。別言すると、衝突ＰＴＲＳをシフトするシンボル数（「シフト量」と称してもよい）は、１シンボルに限られず２シンボル以上であってもよい。シフト量が１シンボルに限られないことは、図２３の例についてもあてはまる。ただし、シフト後のＰＴＲＳ間の配置間隔が広くなるほど、位相変動の追従能力が低下し得るため、他のＲＳとの衝突を回避可能な範囲で、できるだけシフト量は小さい方が好ましい。
【０１９７】
図２３の例では、ＳＢ１１において他のＲＳと衝突するＰＴＲＳが時間方向の前方（例えば、ＳＢ９）にシフトされる。
【０１９８】
なお、図２２及び図２３の例において、シフトするＰＴＲＳは、他のＲＳと衝突するＰＴＲＳに限られてもよいし、衝突ＰＴＲＳのシフトに応じて、他のＲＳと衝突しないＰＴＲＳもシフトされてよい。図２３を例にすると、衝突ＰＴＲＳがＳＢ９にシフトされた結果、ＳＢ９よりも前方のＳＢ７に配置されるＰＴＲＳとの間隔が１シンボルとなる。当該間隔に合わせて、ＳＢ９よりも後方に配置されるＰＴＲＳの間隔が調整されてよい。図２３の例では、ＳＢ１１及びＳＢ１３がＰＴＲＳの配置候補となるが、ＳＢ１１には他のＲＳが配置されるため、ＳＢ１３にＰＴＲＳを配置できる。
【０１９９】
図２３の例では、衝突ＰＴＲＳよりも前方のシンボル（ＳＢ７）に配置されるＰＴＲＳはシフトされないが、図２４に例示するように、衝突ＰＴＲＳの前方シフト量に合わせて、衝突ＰＴＲＳよりも前方のＰＴＲＳも前方（例えば、ＳＢ６）にシフトされてよい。
【０２００】
また、図２２及び図２３の例において、衝突ＰＴＲＳを含む複数のＰＴＲＳが、当初の配置間隔を保ったまま、全体的に後方又は前方にシフトされてもよい。
【０２０１】
また、衝突ＰＴＲＳをシフトする方向は、時間方向に限られず、図２５及び図２６に例示するように、周波数方向であってもよい。図２５及び図２６の例では、他のＲＳが、ＳＢ１０及びＳＢ１１の２シンボル、かつ、ＳＣ５〜ＳＣ８にまたがって配置される。そのため、図２５及び図２６において、太枠で囲まれたＳＢ１１において、ＰＴＲＳと他のＲＳとの衝突が生じる。
【０２０２】
図２５の例では、衝突ＰＴＲＳが高周波数側（例えば、ＳＣ９）にシフトされる。ただし、衝突ＰＴＲＳは、低周波数側（例えば、ＳＣ４）にシフトされてもよい。図２６の例では、衝突ＰＴＲＳの高周波数側（例えば、ＳＣ９）へのシフトに合わせて、衝突ＰＴＲＳよりも前方のＳＢ７に配置されるＰＴＲＳも高周波数側（例えば、ＳＣ９）にシフトされる例である。別言すると、図２６の例は、時間方向に配置される複数のＰＴＲＳが全体的に高周波数側にシフトされる例である。ただし、時間方向に配置される複数のＰＴＲＳが全体的に低周波数側にシフトされてもよい。
【０２０３】
なお、図２５及び図２６の例においても、位相変動の追従能力が低下することを抑制するために、ＰＴＲＳの周波数方向のシフト量は、他のＲＳとの衝突を回避可能な範囲で、できるだけ小さい方が好ましい。
【０２０４】
（ＰＴＲＳの配置位置に関する情報の通知）
以上に説明したＰＴＲＳの配置方法（又は配置位置）に関する情報は、ＤＬ及び／又はＵＬの通信に関して無線基地局１０からユーザ端末２０へ通知されてもよいし、ＵＬの通信に関してユーザ端末２０から無線基地局１０へ通知されてもよい。
【０２０５】
「通知する情報」は、ＰＴＲＳの挿入開始位置を示すオフセット値（例えばＸとする）であってよい。Ｘは、例えば、０〜１３の範囲の値であってよい。オフセット値Ｘの基準となるシンボルは、下記（１ａ）〜（３ａ）のいずれであってもよい。
（１ａ）ＤＭＲＳが配置されるシンボル
（２ａ）個々のスロット（又は、ミニスロット）内の先頭シンボル
（３ａ）データチャネルの先頭シンボル
【０２０６】
なお、上記の（１ａ）〜（３ａ）に例示した基準は、図６〜図１９によって例示した配置方法のいずれかにおいて説明した基準に対応すると捉えてよい。
【０２０７】
（１ａ）のケースで、ＤＭＲＳが２シンボルにまたがって配置される場合（例えば、図９、図１０、及び、図１１に例示した配置方法の場合）には、図９、図１０、及び、図１１にて説明したように、ＤＭＲＳが配置された２つのシンボルの一方が基準とされてよい。
【０２０８】
また、「通知する情報」は、ＰＴＲＳの挿入開始位置に関するインデックス（例えばＹ）であってもよい。インデックスＹは、複数の設定値の候補にそれぞれ付されたインデックス値、もしくは複数の設定値の候補にまとめて付されたインデックス値、でもよい。インデックスＹを用いることで、設定値そのものを通知する場合よりも、通知のためのシグナリングサイズを低減することができる。
【０２０９】
インデックスＹには、下記の（１ｂ）〜（３ｂ）を示す情報のいずれか少なくとも１つが関連付けられてもよい。
【０２１０】
（１ｂ）ＰＴＲＳの挿入開始位置を示すオフセット値
（２ｂ）基準とするシンボル
（３ｂ）ＰＴＲＳの挿入間隔
【０２１１】
関連付けによって、ＰＴＲＳの配置位置を暗黙的（implicit）に特定することができるので、通知のためのシグナリングを削減することができる。
【０２１２】
通知方法には、下記の（１ｃ）〜（３ｃ）のいずれが適用されてもよい。
（１ｃ）上位レイヤ設定（Higher layer configuration）
（２ｃ）ＭＡＣ／ＰＨＹシグナリング
（３ｃ）（１ｃ）及び（２ｃ）を組み合わせたハイブリッド指示（Hybrid indication）
【０２１３】
例えば、ＰＴＲＳの配置位置に関する情報の通知には、ＲＲＣ（Radio Resource Control）又はＭＡＣ（Medium Access Control）シグナリングが適用されてもよいし、物理レイヤ（ＰＨＹ）シグナリングが適用されてもよい。
【０２１４】
（ＰＴＲＳ配置方法の組み合わせ）
また、図６〜図２６に例示したＰＴＲＳの配置方法は、適宜に組み合わされて適用されてもよい。例えば、ＤＬ通信には、図６〜図１３に例示した、ＤＭＲＳ配置に基づく配置方法のいずれかを適用し、ＤＬ通信には、図１４〜図１７に例示した、ＤＭＲＳ配置に基づかない配置方法を適用してよい。
【０２１５】
また、例えば、ＦＬ−ＤＭＲＳよりも前方には、図１４〜図１７に例示した、ＤＭＲＳ配置に基づかない配置方法を適用し、ＦＬ−ＤＭＲＳよりも後方には、図６〜図１３に例示した、ＤＭＲＳ配置に基づく配置方法のいずれかを適用してよい。
【０２１６】
（その他）
また、図６〜図２６に例示したＰＴＲＳの配置方法のいずれかが、上位レイヤで設定（configure）され、設定された配置方法に従ってＰＴＲＳが配置されてもてもよい。
【０２１７】
また、上述した実施の形態において、制御チャネル（ＰＤＣＣＨ及び／又はＰＵＣＣＨ）の時間方向のサイズ（シンボル数）は、２に限られず、例えば、０でも１でも３でもよい。また、ＰＤＣＣＨの信号は、シンボル内の一部に挿入されてもよい。
【０２１８】
また、ＤＭＲＳの配置位置は、１スロットの３シンボル目に限られない。例えば、ＤＭＲＳの配置位置は、１スロットの４シンボル目でもよいし、データチャネル（例えば、ＰＵＳＣＨ）の先頭シンボルでもよいし、ＰＵＳＣＨの２シンボル目でもよい。
【０２１９】
また、ＤＭＲＳのシンボル数は、１に限られない。例えば、ＤＭＲＳは、１スロットの３シンボル目及び４シンボル目の２シンボルにまたがって配置されてもよいし、１スロットの４シンボル目及び５シンボル目の２シンボルにまたがって配置されてもよい。
【０２２０】
（用語）
ＤＭＲＳは、復調用ＲＳと呼ばれてもよい。また、ＤＭＲＳには、ＦＬ−ＤＭＲＳ及びＡ−ＤＭＲＳのうち、ＦＬ−ＤＭＲＳのみが含まれてもよいし、両者が含まれてもよい。また、ＰＤＳＣＨは、下りデータチャネルと呼ばれてもよい。ＰＵＳＣＨは、上りデータチャネルと呼ばれてもよい。ＰＤＣＣＨは、下り制御チャネルと呼ばれてもよい。ＰＵＣＣＨは、上り制御チャネルと呼ばれてもよい。
【０２２１】
以上、本発明の実施の形態について説明した。
【０２２２】
（ハードウェア構成）
なお、上記実施の形態の説明に用いたブロック図は、機能単位のブロックを示している。これらの機能ブロック（構成部）は、ハードウェア及び／又はソフトウェアの任意の組み合わせによって実現される。また、各機能ブロックの実現手段は特に限定されない。すなわち、各機能ブロックは、物理的及び／又は論理的に結合した１つの装置により実現されてもよいし、物理的及び／又は論理的に分離した２つ以上の装置を直接的及び／又は間接的に(例えば、有線及び／又は無線)で接続し、これら複数の装置により実現されてもよい。
【０２２３】
例えば、本発明の一実施の形態における無線基地局１０、ユーザ端末２０などは、本発明の無線通信方法の処理を行うコンピュータとして機能してもよい。図２７は、一実施の形態に係る無線基地局１０及びユーザ端末２０のハードウェア構成の一例を示す図である。上述の無線基地局１０及びユーザ端末２０は、物理的には、プロセッサ１００１、メモリ１００２、ストレージ１００３、通信装置１００４、入力装置１００５、出力装置１００６、バス１００７などを含むコンピュータ装置として構成されてもよい。
【０２２４】
なお、以下の説明では、「装置」という文言は、回路、デバイス、ユニットなどに読み替えることができる。無線基地局１０及びユーザ端末２０のハードウェア構成は、図に示した各装置を１つ又は複数含むように構成されてもよいし、一部の装置を含まずに構成されてもよい。
【０２２５】
例えば、プロセッサ１００１は１つだけ図示されているが、複数のプロセッサがあってもよい。また、処理は、１のプロセッサで実行されてもよいし、処理が同時に、逐次に、又はその他の手法で、一以上のプロセッサで実行されてもよい。なお、プロセッサ１００１は、一以上のチップで実装されてもよい。
【０２２６】
無線基地局１０及びユーザ端末２０における各機能は、プロセッサ１００１、メモリ１００２などのハードウェア上に所定のソフトウェア（プログラム）を読み込ませることで、プロセッサ１００１が演算を行い、通信装置１００４による通信、又は、メモリ１００２及びストレージ１００３におけるデータの読み出し及び／又は書き込みを制御することで実現される。
【０２２７】
プロセッサ１００１は、例えば、オペレーティングシステムを動作させてコンピュータ全体を制御する。プロセッサ１００１は、周辺装置とのインターフェース、制御装置、演算装置、レジスタなどを含む中央処理装置（ＣＰＵ：Central Processing Unit）で構成されてもよい。例えば、上述のスケジューラ１０１、送信信号生成部１０２，２０６、符号化・変調部１０３，２０７、マッピング部１０４，２０８、制御部１０８，２０３、チャネル推定部１０９，２０４、復調・復号部１１０，２０５などは、プロセッサ１００１で実現されてもよい。
【０２２８】
また、プロセッサ１００１は、プログラム（プログラムコード）、ソフトウェアモジュール又はデータを、ストレージ１００３及び／又は通信装置１００４からメモリ１００２に読み出し、これらに従って各種の処理を実行する。プログラムとしては、上述の実施の形態で説明した動作の少なくとも一部をコンピュータに実行させるプログラムが用いられる。例えば、無線基地局１０のスケジューラ１０１は、メモリ１００２に格納され、プロセッサ１００１で動作する制御プログラムによって実現されてもよく、他の機能ブロックについても同様に実現されてもよい。上述の各種処理は、１つのプロセッサ１００１で実行される旨を説明してきたが、２以上のプロセッサ１００１により同時又は逐次に実行されてもよい。プロセッサ１００１は、１以上のチップで実装されてもよい。なお、プログラムは、電気通信回線を介してネットワークから送信されてもよい。
【０２２９】
メモリ１００２は、コンピュータ読み取り可能な記録媒体であり、例えば、ＲＯＭ（Read Only Memory）、ＥＰＲＯＭ（Erasable Programmable ＲＯＭ）、ＥＥＰＲＯＭ（Electrically Erasable Programmable ＲＯＭ）、ＲＡＭ（Random Access Memory）などの少なくとも１つで構成されてもよい。メモリ１００２は、レジスタ、キャッシュ、メインメモリ（主記憶装置）などと呼ばれてもよい。メモリ１００２は、本発明の一実施の形態に係る無線通信方法を実施するために実行可能なプログラム（プログラムコード）、ソフトウェアモジュールなどを保存することができる。
【０２３０】
ストレージ１００３は、コンピュータ読み取り可能な記録媒体であり、例えば、ＣＤ−ＲＯＭ（Compact Disc ＲＯＭ）などの光ディスク、ハードディスクドライブ、フレキシブルディスク、光磁気ディスク(例えば、コンパクトディスク、デジタル多用途ディスク、Ｂｌｕ−ｒａｙ（登録商標）ディスク)、スマートカード、フラッシュメモリ(例えば、カード、スティック、キードライブ)、フロッピー（登録商標）ディスク、磁気ストリップなどの少なくとも１つで構成されてもよい。ストレージ１００３は、補助記憶装置と呼ばれてもよい。上述の記憶媒体は、例えば、メモリ１００２及び／又はストレージ１００３を含むデータベース、サーバその他の適切な媒体であってもよい。
【０２３１】
通信装置１００４は、有線及び／又は無線ネットワークを介してコンピュータ間の通信を行うためのハードウェア（送受信デバイス）であり、例えばネットワークデバイス、ネットワークコントローラ、ネットワークカード、通信モジュールなどともいう。例えば、上述の送信部１０５，２０９、アンテナ１０６，２０１、受信部１０７，２０２などは、通信装置１００４で実現されてもよい。
【０２３２】
入力装置１００５は、外部からの入力を受け付ける入力デバイス（例えば、キーボード、マウス、マイクロフォン、スイッチ、ボタン、センサなど）である。出力装置１００６は、外部への出力を実施する出力デバイス（例えば、ディスプレイ、スピーカー、LEDランプなど）である。なお、入力装置１００５及び出力装置１００６は、一体となった構成（例えば、タッチパネル）であってもよい。
【０２３３】
また、プロセッサ１００１及びメモリ１００２などの各装置は、情報を通信するためのバス１００７で接続される。バス１００７は、単一のバスで構成されてもよいし、装置間で異なるバスで構成されてもよい。
【０２３４】
また、無線基地局１０及びユーザ端末２０は、マイクロプロセッサ、デジタル信号プロセッサ（ＤＳＰ：Digital Signal Processor）、ＡＳＩＣ（Application Specific Integrated Circuit）、ＰＬＤ（Programmable Logic Device）、ＦＰＧＡ（Field Programmable Gate Array）などのハードウェアを含んで構成されてもよく、当該ハードウェアにより、各機能ブロックの一部又は全てが実現されてもよい。例えば、プロセッサ１００１は、これらのハードウェアの少なくとも１つで実装されてもよい。
【０２３５】
（情報の通知、シグナリング）
また、情報の通知は、本明細書で説明した態様／実施形態に限られず、他の方法で行われてもよい。例えば、情報の通知は、物理レイヤシグナリング（例えば、ＤＣＩ（Downlink Control Information）、ＵＣＩ（Uplink Control Information））、上位レイヤシグナリング（例えば、ＲＲＣ（Radio Resource Control）シグナリング、ＭＡＣ（Medium Access Control）シグナリング、報知情報（ＭＩＢ（Master Information Block）、ＳＩＢ（System Information Block）））、その他の信号又はこれらの組み合わせによって実施されてもよい。また、ＲＲＣシグナリングは、ＲＲＣメッセージと呼ばれてもよく、例えば、ＲＲＣ接続セットアップ（RRC Connection Setup）メッセージ、ＲＲＣ接続再構成（RRC Connection Reconfiguration）メッセージなどであってもよい。
【０２３６】
（適応システム）
本明細書で説明した各態様／実施形態は、ＬＴＥ（Long Term Evolution）、ＬＴＥ−Ａ（LTE-Advanced）、ＳＵＰＥＲ ３Ｇ、ＩＭＴ−Ａｄｖａｎｃｅｄ、４Ｇ、５Ｇ、ＦＲＡ（Future Radio Access）、Ｗ−ＣＤＭＡ（登録商標）、ＧＳＭ（登録商標）、ＣＤＭＡ２０００、ＵＭＢ（Ultra Mobile Broadband）、ＩＥＥＥ ８０２．１１（Ｗｉ−Ｆｉ）、ＩＥＥＥ ８０２．１６（ＷｉＭＡＸ）、ＩＥＥＥ ８０２．２０、ＵＷＢ（Ultra-WideBand）、Ｂｌｕｅｔｏｏｔｈ（登録商標）、その他の適切なシステムを利用するシステム及び／又はこれらに基づいて拡張された次世代システムに適用されてもよい。
【０２３７】
（処理手順など）
本明細書で説明した各態様／実施形態の処理手順、シーケンス、フローチャートなどは、矛盾の無い限り、順序を入れ替えてもよい。例えば、本明細書で説明した方法については、例示的な順序で様々なステップの要素を提示しており、提示した特定の順序に限定されない。
【０２３８】
（基地局の操作）
本明細書において基地局（無線基地局）によって行われるとした特定動作は、場合によってはその上位ノード（upper node）によって行われることもある。基地局を有する１つまたは複数のネットワークノード（network nodes）からなるネットワークにおいて、端末との通信のために行われる様々な動作は、基地局、及び／又は、基地局以外の他のネットワークノード(例えば、ＭＭＥ（Mobility Management Entity）またはＳ−ＧＷ（Serving Gateway）などが考えられるが、これらに限られない)によって行われ得ることは明らかである。上記において基地局以外の他のネットワークノードが１つである場合を例示したが、複数の他のネットワークノードの組み合わせ(例えば、ＭＭＥおよびＳ−ＧＷ)であってもよい。
【０２３９】
（入出力の方向）
情報及び信号などは、上位レイヤ(または下位レイヤ)から下位レイヤ(または上位レイヤ)に出力され得る。複数のネットワークノードを介して入出力されてもよい。
【０２４０】
（入出力された情報などの扱い）
入出力された情報などは特定の場所(例えば、メモリ)に保存されてもよいし、管理テーブルで管理してもよい。入出力される情報などは、上書き、更新、または追記され得る。出力された情報などは削除されてもよい。入力された情報などは他の装置に送信されてもよい。
【０２４１】
（判定方法）
判定は、１ビットで表される値（０か１か）によって行われてもよいし、真偽値（Boolean：trueまたはfalse）によって行われてもよいし、数値の比較（例えば、所定の値との比較）によって行われてもよい。
【０２４２】
（ソフトウェア）
ソフトウェアは、ソフトウェア、ファームウェア、ミドルウェア、マイクロコード、ハードウェア記述言語と呼ばれるか、他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能などを意味するよう広く解釈されるべきである。
【０２４３】
また、ソフトウェア、命令などは、伝送媒体を介して送受信されてもよい。例えば、ソフトウェアが、同軸ケーブル、光ファイバケーブル、ツイストペア及びデジタル加入者回線（ＤＳＬ）などの有線技術及び／又は赤外線、無線及びマイクロ波などの無線技術を使用してウェブサイト、サーバ、又は他のリモートソースから送信される場合、これらの有線技術及び／又は無線技術は、伝送媒体の定義内に含まれる。
【０２４４】
（情報、信号）
本明細書で説明した情報、信号などは、様々な異なる技術のいずれかを使用して表されてもよい。例えば、上記の説明全体に渡って言及され得るデータ、命令、コマンド、情報、信号、ビット、シンボル、チップなどは、電圧、電流、電磁波、磁界若しくは磁性粒子、光場若しくは光子、又はこれらの任意の組み合わせによって表されてもよい。
【０２４５】
なお、本明細書で説明した用語及び／又は本明細書の理解に必要な用語については、同一の又は類似する意味を有する用語と置き換えてもよい。例えば、チャネル及び／又はシンボルは信号（シグナル）であってもよい。また、信号はメッセージであってもよい。また、コンポーネントキャリア（ＣＣ）は、キャリア周波数、セルなどと呼ばれてもよい。
【０２４６】
（「システム」、「ネットワーク」）
本明細書で使用する「システム」および「ネットワーク」という用語は、互換的に使用される。
【０２４７】
（パラメータ、チャネルの名称）
また、本明細書で説明した情報、パラメータなどは、絶対値で表されてもよいし、所定の値からの相対値で表されてもよいし、対応する別の情報で表されてもよい。例えば、無線リソースはインデックスで指示されるものであってもよい。
【０２４８】
上述したパラメータに使用する名称はいかなる点においても限定的なものではない。さらに、これらのパラメータを使用する数式などは、本明細書で明示的に開示したものと異なる場合もある。様々なチャネル（例えば、ＰＵＣＣＨ、ＰＤＣＣＨなど）及び情報要素（例えば、ＴＰＣなど）は、あらゆる好適な名称によって識別できるので、これらの様々なチャネル及び情報要素に割り当てている様々な名称は、いかなる点においても限定的なものではない。
【０２４９】
（基地局）
基地局（無線基地局）は、１つまたは複数（例えば、３つ）の（セクタとも呼ばれる）セルを収容することができる。基地局が複数のセルを収容する場合、基地局のカバレッジエリア全体は複数のより小さいエリアに区分でき、各々のより小さいエリアは、基地局サブシステム（例えば、屋内用の小型基地局ＲＲＨ：Remote Radio Head）によって通信サービスを提供することもできる。「セル」または「セクタ」という用語は、このカバレッジにおいて通信サービスを行う基地局、及び／又は、基地局サブシステムのカバレッジエリアの一部または全体を指す。さらに、「基地局」、「ｅＮＢ」、「ｇＮＢ」、「セル」、および「セクタ」という用語は、本明細書では互換的に使用され得る。基地局は、固定局（fixed station）、ＮｏｄｅＢ、ｅＮｏｄｅＢ（ｅＮＢ）、ｇＮｏｄｅＢ（ｇＮＢ）アクセスポイント（access point）、フェムトセル、スモールセルなどの用語で呼ばれる場合もある。
【０２５０】
（端末）
ユーザ端末は、当業者によって、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、ＵＥ（User Equipment）、またはいくつかの他の適切な用語で呼ばれる場合もある。
【０２５１】
（用語の意味、解釈）
本明細書で使用する「判断(determining)」、「決定(determining)」という用語は、多種多様な動作を包含する場合がある。「判断」、「決定」は、例えば、判定(judging)、計算(calculating)、算出(computing)、処理(processing)、導出(deriving)、調査(investigating)、探索(looking up)（例えば、テーブル、データベースまたは別のデータ構造での探索）、確認(ascertaining)した事を「判断」「決定」したとみなす事などを含み得る。また、「判断」、「決定」は、受信(receiving)（例えば、情報を受信すること）、送信(transmitting)(例えば、情報を送信すること)、入力(input)、出力(output)、アクセス(accessing)（例えば、メモリ中のデータにアクセスすること）した事を「判断」「決定」したとみなす事などを含み得る。また、「判断」、「決定」は、解決(resolving)、選択(selecting)、選定(choosing)、確立(establishing)、比較(comparing)などした事を「判断」「決定」したとみなす事を含み得る。つまり、「判断」「決定」は、何らかの動作を「判断」「決定」したとみなす事を含み得る。
【０２５２】
「接続された(connected)」、「結合された(coupled)」という用語、又はこれらのあらゆる変形は、２又はそれ以上の要素間の直接的又は間接的なあらゆる接続又は結合を意味し、互いに「接続」又は「結合」された２つの要素間に１又はそれ以上の中間要素が存在することを含むことができる。要素間の結合又は接続は、物理的なものであっても、論理的なものであっても、或いはこれらの組み合わせであってもよい。本明細書で使用する場合、２つの要素は、１又はそれ以上の電線、ケーブル及び／又はプリント電気接続を使用することにより、並びにいくつかの非限定的かつ非包括的な例として、無線周波数領域、マイクロ波領域及び光（可視及び不可視の両方）領域の波長を有する電磁エネルギーなどの電磁エネルギーを使用することにより、互いに「接続」又は「結合」されると考えることができる。
【０２５３】
参照信号は、ＲＳ（Reference Signal）と略称することもでき、適用される標準によってパイロット（Pilot）と呼ばれてもよい。また、ＤＭＲＳは、対応する別の呼び方、例えば、復調用ＲＳまたはＤＭ−ＲＳなどであってもよい。
【０２５４】
本明細書で使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【０２５５】
上記の各装置の構成における「部」を、「手段」、「回路」、「デバイス」などに置き換えてもよい。
【０２５６】
「含む(including)」、「含んでいる（comprising）」、およびそれらの変形が、本明細書あるいは特許請求の範囲で使用されている限り、これら用語は、用語「備える」と同様に、包括的であることが意図される。さらに、本明細書あるいは特許請求の範囲において使用されている用語「または（or）」は、排他的論理和ではないことが意図される。
【０２５７】
無線フレームは時間領域において１つまたは複数のフレームで構成されてもよい。時間領域において１つまたは複数の各フレームはサブフレーム、タイムユニットなどと呼ばれてもよい。サブフレームは更に時間領域において１つまたは複数のスロットで構成されてもよい。スロットはさらに時間領域において１つまたは複数のシンボル（ＯＦＤＭ（Orthogonal Frequency Division Multiplexing）シンボル、ＳＣ-ＦＤＭＡ（Single Carrier-Frequency Division Multiple Access）シンボルなど）によって構成されてもよい。
【０２５８】
無線フレーム、サブフレーム、スロット、ミニスロット、およびシンボルは、いずれも信号を伝送する際の時間単位を表す。無線フレーム、サブフレーム、スロット、ミニスロット、およびシンボルは、それぞれに対応する別の呼び方であってもよい。
【０２５９】
例えば、ＬＴＥシステムでは、基地局が各移動局に無線リソース（各移動局において使用することが可能な周波数帯域幅、送信電力など）を割り当てるスケジューリングを行う。スケジューリングの最小時間単位をＴＴＩ（Transmission Time Interval）と呼んでもよい。
【０２６０】
例えば、１サブフレームをＴＴＩと呼んでもよいし、複数の連続したサブフレームをＴＴＩと呼んでもよいし、１スロットをＴＴＩと呼んでもよいし、１ミニスロットをＴＴＩと呼んでもよい。
【０２６１】
リソースユニットは、時間領域および周波数領域のリソース割当単位であり、周波数領域では１つまたは複数個の連続した副搬送波（subcarrier）を含んでもよい。また、リソースユニットの時間領域では、１つまたは複数個のシンボルを含んでもよく、１スロット、１ミニスロット、１サブフレーム、または１ＴＴＩの長さであってもよい。１ＴＴＩ、１サブフレームは、それぞれ１つまたは複数のリソースユニットで構成されてもよい。また、リソースユニットは、リソースブロック（ＲＢ：Resource Block）、物理リソースブロック（ＰＲＢ：Physical RB）、ＰＲＢペア、ＲＢペア、スケジューリングユニット、周波数ユニット、サブバンドと呼ばれてもよい。また、リソースユニットは、１つ又は複数のＲＥで構成されてもよい。例えば、１ＲＥは、リソース割当単位となるリソースユニットより小さい単位のリソース（例えば、最小のリソース単位）であればよく、ＲＥという呼称に限定されない。
【０２６２】
上述した無線フレームの構造は例示に過ぎず、無線フレームに含まれるサブフレームの数、サブフレームに含まれるスロットの数、サブフレームに含まれるミニスロットの数、スロットに含まれるシンボルおよびリソースブロックの数、および、リソースブロックに含まれるサブキャリアの数は様々に変更することができる。
【０２６３】
本開示の全体において、例えば、英語でのa, an, 及びtheのように、翻訳により冠詞が追加された場合、これらの冠詞は、文脈から明らかにそうではないことが示されていなければ、複数のものを含むものとする。
【０２６４】
（態様のバリエーションなど）
本明細書で説明した各態様／実施形態は単独で用いてもよいし、組み合わせて用いてもよいし、実行に伴って切り替えて用いてもよい。また、所定の情報の通知（例えば、「Ｘであること」の通知）は、明示的に行うものに限られず、暗黙的（例えば、当該所定の情報の通知を行わない）ことによって行われてもよい。
【０２６５】
以上、本発明の一実施の形態について説明したが、当業者にとっては、本発明が本明細書中に説明した実施の形態に限定されるものではないということは明らかである。本発明は、特許請求の範囲の記載により定まる本発明の趣旨及び範囲を逸脱することなく修正及び変更態様として実施することができる。したがって、本明細書の記載は、例示説明を目的とするものであり、本発明に対して何ら制限的な意味を有するものではない。
【産業上の利用可能性】
【０２６６】
本発明の一態様は、移動通信システムに有用である。
【符号の説明】
【０２６７】
１０  無線基地局
２０  ユーザ端末
１０１  スケジューラ
１０２，２０６  送信信号生成部
１０３，２０７  符号化・変調部
１０４，２０８  マッピング部
１０５，２０９  送信部
１０６，２０１  アンテナ
１０７，２０２  受信部
１０８，２０３  制御部
１０９，２０４  チャネル推定部
１１０，２０５  復調・復号部
【図１】
2019064602.tif 000003
【図２】
2019064602.tif 000004
【図３】
2019064602.tif 000005
【図４】
2019064602.tif 000006
【図５】
2019064602.tif 000007
【図６】
2019064602.tif 000008
【図７】
2019064602.tif 000009
【図８】
2019064602.tif 000010
【図９】
2019064602.tif 000011
【図１０】
2019064602.tif 000012
【図１１】
2019064602.tif 000013
【図１２】
2019064602.tif 000014
【図１３】
2019064602.tif 000015
【図１４】
2019064602.tif 000016
【図１５】
2019064602.tif 000017
【図１６】
2019064602.tif 000018
【図１７】
2019064602.tif 000019
【図１８】
2019064602.tif 000020
【図１９】
2019064602.tif 000021
【図２０】
2019064602.tif 000022
【図２１】
2019064602.tif 000023
【図２２】
2019064602.tif 000024
【図２３】
2019064602.tif 000025
【図２４】
2019064602.tif 000026
【図２５】
2019064602.tif 000027
【図２６】
2019064602.tif 000028
【図２７】
2019064602.tif 000029
【手続補正書】
【提出日】令和2年3月25日(2020.3.25)
【手続補正１】
【補正対象書類名】特許請求の範囲
【補正対象項目名】全文
【補正方法】変更
【補正の内容】
【特許請求の範囲】
【請求項１】
フェーズトラッキング参照信号を上りリンク共有チャネルに使用される少なくとも１つのシンボルに前記上りリンク共有チャネルの先頭シンボルからマッピングする制御部と、
前記上りリンク共有チャネル及び前記フェーズトラッキング参照信号の送信処理を行う送信部と、
を備えた、端末。
【請求項２】
前記制御部は、
前記フェーズトラッキング参照信号をマッピングするシンボルが復調用参照信号に使用されるシンボルと重なる場合、前記復調用参照信号に使用されるシンボルを基準に、前記フェーズトラッキング参照信号を異なるシンボルにマッピングする、
請求項１に記載の端末。
【請求項３】
前記送信部が、前記上りリンク共有チャネルにおける第１のシンボル及び第２のシンボルを使用して復調用参照信号を送信する場合、前記制御部は、前記フェーズトラッキング参照信号のマッピングのための基準を前記第２のシンボルにセットする、
請求項１に記載の端末。
【請求項４】
前記制御部は、或る配置方法に基づいて、前記フェーズトラッキング参照信号をマッピングするシンボルを決定する、
請求項１に記載の端末。
【請求項５】
下りリンク共有チャネルの受信処理を行う受信部と、
前記下りリンク共有チャネルにおいて前記下りリンク共有チャネルの先頭シンボルからフェーズトラッキング参照信号がマッピングされている少なくとも１つのシンボルを決定する制御部と、
を備えた、端末。
【請求項６】
前記受信部は、前記フェーズトラッキング参照信号のマッピングに関する情報を受信し、
前記制御部は、前記フェーズトラッキング参照信号のマッピングされているシンボルが、復調用参照信号に使用されるシンボルと重なる場合には、前記復調用参照信号に使用されるシンボルを基準に、前記フェーズトラッキング参照信号が異なるシンボルにマッピングされていることを前記マッピングに関する情報に基づいて決定する、
請求項５に記載の端末。
【請求項７】
前記制御部は、前記下りリンク共有チャネルにおける第１のシンボル及び第２のシンボルに復調用参照信号がマッピングされている場合には、前記フェーズトラッキング参照信号のマッピングのための基準が、前記第２のシンボルであると決定する、
請求項５に記載の端末。
【請求項８】
前記制御部は、或る配置方法に基づいて、前記フェーズトラッキング参照信号がマッピングされているシンボルを決定する、
請求項５に記載の端末。
【請求項９】
フェーズトラッキング参照信号を前記下りリンク共有チャネルに使用される少なくとも１つのシンボルに前記下りリンク共有チャネルの先頭シンボルからマッピングする制御部と、
前記下りリンク共有チャネル及び前記フェーズトラッキング参照信号の送信処理を行う送信部と、
を備えた、基地局。
【手続補正３】
【補正対象書類名】明細書
【補正対象項目名】０００１
【補正方法】変更
【補正の内容】
【０００１】
本発明は、端末および基地局に関する。
【手続補正４】
【補正対象書類名】明細書
【補正対象項目名】０００９
【補正方法】変更
【補正の内容】
【０００９】
本発明の一態様に係る端末は、フェーズトラッキング参照信号を上りリンク共有チャネルに使用される少なくとも１つのシンボルに前記上りリンク共有チャネルの先頭シンボルからマッピングする制御部と、前記上りリンク共有チャネル及び前記フェーズトラッキング参照信号の送信処理を行う送信部と、を備える。
【国際調査報告】
2019064602.tif 000030
2019064602.tif 000031
2019064602.tif 000032
2019064602.tif 000033